(57)【要約】  光学部分と、この光学部分と同軸に取り付けられている弾性で可とう性の触角部分とを含む注射可能な眼内インプラントと、この眼内インプラントを眼球内に挿入する方法。
2009502305.tif 000002
【特許請求の範囲】
【請求項１】
注射可能な眼内インプラントであって、
光学部分と、
前記光学部分と同軸に取り付けられている弾性で可とう性の触角部分
とを含む注射可能な眼内インプラント。
【請求項２】
前記光学部分と前記触角部分は、相互にスナップ嵌め係合するように構成されている請求項１に記載の注射可能な眼内インプラント。
【請求項３】
前記オプティックス部分は周縁溝を含み、および、前記触角部分は、前記周囲溝にスナップ嵌め係合するように構成されている周縁突起を有する円筒形部分を含む請求項２に記載の注射可能な眼内インプラント。
【請求項４】
前記光学部分が望遠鏡を含む請求項１から３のいずれかに記載の注射可能な眼内インプラント。
【請求項５】
前記触角部分は生体適合性プラスチックで形成されている請求項１から４のいずれかに記載の注射可能な眼内インプラント。
【請求項６】
前記触角部分が、その円筒形部分と共に一体的に形成されている複数の外方に延びる触角翼部を有する円筒形部分を含む請求項１から５のいずれかに記載の注射可能な眼内インプラント。
【請求項７】
前記触角翼部の各々は、前記触角翼部の中を寄生光が通過することを遮断するように着色されている請求項６に記載の注射可能な眼内インプラント。
【請求項８】
前記触角部分は、少なくとも１つの螺旋状セクションを含む外方に延びる螺旋状部分を備える請求項１から５のいずれかに記載の注射可能な眼内インプラント。
【請求項９】
前記少なくとも１つの螺旋状セクションの各々は、
触角渦巻き形部分と、
その他の渦巻き形部分と、
前記触角渦巻き形部分と前記他の渦巻き形部分とを連結する脆弱部分
とを備える請求項８に記載の注射可能な眼内インプラント。
【請求項１０】
前記触角部分は、概ね円形の内向きの壁部分と概ね円形の外向きの壁部分とを画定する中空の概ね円筒形の構造を備える請求項１から５のいずれかに記載の注射可能な眼内インプラント。
【請求項１１】
前記内向きの壁部分は、その中に概ね円形の光学係合穴を画定する請求項１０に記載の注射可能な眼内インプラント。
【請求項１２】
前記内向きの壁部分と前記外向きの壁部分の各々は、その中に概ね円形の光学係合穴を画定する請求項１０に記載の注射可能な眼内インプラント。
【請求項１３】
眼球の中に眼内インプラントを挿入する方法であって、
光学部分と、前記光学部分と同軸に取り付けられている弾性で可とう性の触角部分とを含む注射可能な眼内インプラントを提供することと、
注射器の送達チューブ内に前記注射可能な眼内インプラントを配置することと、
前記送達チューブを眼球の水晶体嚢の中に挿入することと、
前記注射可能な眼内インプラントを前記水晶体嚢の中に注射すること
とを含む方法。
【請求項１４】
前記注射することは、前記水晶体嚢の中に前記眼内インプラントを押し込むために流体圧を使用することを含む請求項１３に記載の方法。
【請求項１５】
前記流体は生体適合性の流体である請求項１４に記載の方法。
【請求項１６】
前記触角部分は触角翼部を含み、および、前記配置することは、前記光学部分上に前記触角部分を折り重ねることを含む請求項１３から１５のいずれかに記載の方法。
【請求項１７】
前記配置することは、前記光学部分の外向きの末端が前記送達チューブ内で後方に配置される形で前記眼内インプラントを配置することを含む請求項１３から１６のいずれかに記載の方法。
【請求項１８】
前記触角部分は、外方に延びる螺旋状部分を含み、かつ、前記配置することは前記螺旋状部分をコイル状に巻くことを含む請求項１３から１７のいずれかに記載の方法。
【請求項１９】
前記注射することは前記注射器を回転させることを含む請求項１８に記載の方法。
【請求項２０】
前記外方に延びる螺旋状部分は、触角渦巻き形部分と、その他の渦巻き形部分と、前記触角渦巻き形部分と前記その他の渦巻き形部分とを連結する脆弱部分とを備え、および、
前記回転させることは、前記脆弱部分が破断することを引き起こし、これによって前記その他の渦巻き形部分から前記触角渦巻き形部分を分離させる
請求項１９に記載の方法。
【請求項２１】
前記触角部分は外向きの壁部分を含み、および、前記配置することは、前記光学部分の外向きの末端の上を前記外向きの壁部分を引っ張ることを含む請求項１３から１７のいずれかに記載の方法。
【請求項２２】
前記配置することは、前記注射器内の流体流の通路を封止することを含む請求項１３から２１のいずれかに記載の方法。
【請求項２３】
前記注射することは、前記流体流の通路を封止解除することを含む請求項２２に記載の方法。
【請求項２４】
前記配置することは、前記触角部分を送達注射器の中に引き込むことを含む請求項１３から２３のいずれかに記載の方法。
【請求項２５】
前記触角部分に穿孔することをさらに含む請求項１３から２４のいずれかに記載の方法。
【請求項２６】
眼内インプラント注射アセンブリであって、
眼内インプラント位置決めサブアセンブリと、
触角を含みかつ光学軸を有する眼内インプラントであって、前記眼内インプラント位置決めサブアセンブリを基準として少なくとも１つの第１の予め決められた方位角位置の１つにおいて、前記眼内インプラント位置決めサブアセンブリ内に取り付けられている眼内インプラントと、
ハウジングを基準として少なくとも１つの第２の予め決められた方位角位置の１つにおいて、前記眼内インプラント位置決めサブアセンブリを保持するハウジングと、
傾斜した前方端縁を有する注射器であって、前記傾斜した前方端縁が前記ハウジングを基準として少なくとも１つの第３の予め決められた方位角位置の１つに位置しているように前記ハウジング内に保持されている注射器
とを含む眼内インプラント注射アセンブリ。
【請求項２７】
眼内インプラント注射アセンブリであって、
眼内インプラント位置決めサブアセンブリと、
触角を含みかつ光学軸を有する眼内インプラントであって、前記眼内インプラント位置決めサブアセンブリを基準として少なくとも１つの第１の予め決められた方位角位置の１つにおいて、前記眼内インプラント位置決めサブアセンブリ内に取り付けられている眼内インプラントと、
ハウジングを基準として少なくとも１つの第２の予め決められた方位角位置の１つにおいて、前記眼内インプラント位置決めサブアセンブリを保持するハウジングと、
ユーザ感知可能な方位角位置インジケータを有する注射器であって、前記ハウジングを基準として少なくとも１つの第３の予め決められた方位角位置の１つにおいて前記ハウジング内に保持されている注射器
とを含む眼内インプラント注射アセンブリ。
【請求項２８】
前記注射器は傾斜した前方端縁を有し、および、前記注射器は、前記ハウジングを基準として少なくとも１つの第４の予め決められた方位角位置の１つに前記傾斜した前方端縁が位置しているように前記ハウジング内に保持されている請求項２７に記載の眼内インプラント注射アセンブリ。
【請求項２９】
前記眼内インプラント位置決めサブアセンブリは、
方位角位置合わせ穴を含む後方位置決め要素と、
前記方位角位置合わせ穴と係合する働きをし、かつ、前記後方位置決め要素と前方位置決め要素との間の相対的な回転を防止する働きをする、方位角位置合わせピンを含む前方位置決め要素
とを含む請求項２６から２８のいずれかに記載の眼内インプラント注射アセンブリ。
【請求項３０】
前記前方位置決め要素は周縁フランジを含み、および、前記後方位置決め要素は、スナップ嵌め係合によって前記周縁フランジに係合する働きをする複数のスナップ嵌め係合要素を含む請求項２９に記載の眼内インプラント注射アセンブリ。
【請求項３１】
前記触角の傾斜部分が、前記後方位置決め要素の前方の内向き先細部分と、前記前方位置決め要素の後方の外向き先細部分との間に位置している請求項２９と請求項３０とのどちらかに記載の眼内インプラント注射アセンブリ。
【請求項３２】
前記後方位置決め要素の前記先細部分と前記前方位置決め要素の前記先細部分は、前記眼内インプラントが前記注射器内に装填される時に前記触角を案内して前記触角の機構的な完全性を維持するように形状構成されている請求項３１に記載の眼内インプラント注射アセンブリ。
【請求項３３】
前記眼内インプラント位置決めサブアセンブリは、前記眼内インプラント位置決めサブアセンブリを基準として前記少なくとも１つの第１の予め決められた方位角位置の１つにおいて前記眼内インプラントを保持する働きをする複数の眼内インプラント位置決め突起を含む請求項２６から３２のいずれかに記載の眼内インプラント注射アセンブリ。
【請求項３４】
前記眼内インプラント位置決めサブアセンブリは、前方傾斜端縁の角位置と概ね同一である角位置を有し、かつ、前記前方傾斜端縁と係合して前記眼内インプラント位置決めサブアセンブリを基準として前記注射器の少なくとも１つの予め決められた方位角位置を実現するようになっている、傾斜した肩部を含む請求項２６と請求項２８から３３とのいずれかに記載の眼内インプラント注射アセンブリ。
【請求項３５】
前記注射器の前記前方傾斜端縁は、眼球内に前記眼内インプラントが注射される時に前記触角が逐次的に展開することを可能にするように形状構成されている請求項２６と請求項２８から３４とのいずれかに記載の眼内インプラント注射アセンブリ。
【請求項３６】
前記ハウジングは、ユーザ感知可能な方位角位置インジケータをスライド自在に収容するように構成されている少なくとも１つの縦方向スロットを含む請求項２７から３５のいずれかに記載の眼内インプラント注射アセンブリ。
【請求項３７】
前記ハウジングは弾性材料で形成されており、かつ、前記注射器をその中に挿入することを可能にするように少なくとも部分的に二叉状に分岐している請求項２６から３６のいずれかに記載の眼内インプラント注射アセンブリ。
【請求項３８】
さらに、前記ハウジングに係合するようになっている眼内インプラント移動装置も備える請求項２６から３７のいずれかに記載の眼内インプラント注射アセンブリ。
【請求項３９】
前記眼内インプラント移動装置は、前記眼内インプラントを前記眼内インプラント位置決めサブアセンブリから前記注射器の中に押し込む働きをするシャフト部分を含む請求項３８に記載の眼内インプラント注射アセンブリ。
【請求項４０】
前記触角は前記眼内インプラントの本体部分上にかつ前記光学軸に関して対称的に折り重なり、かつ、前記眼内インプラントが前記注射器内に配置される時に前記本体部分の前方に延びるようになっている請求項２６から３９のいずれかに記載の眼内インプラント注射アセンブリ。
【請求項４１】
前記眼内インプラントはカプセル状の本体部分を含み、および、前記触角は、前記眼内インプラントが前記眼球内に移植される時に角膜から離れるように前記カプセル状本体部分を押し動かすようになっている請求項２６から４０のいずれかに記載の眼内インプラント注射アセンブリ。
【請求項４２】
前記触角は複数の触角翼部を含み、かつ、前記触角翼部の各々は、前記触角翼部の中を寄生光が通過することを遮断するように着色されている請求項２６から４１のいずれかに記載の眼内インプラント注射アセンブリ。
【請求項４３】
眼内インプラント注射アセンブリであって、
触角を含む眼内インプラントと、
傾斜した前方端縁を有する注射器と、
前記注射器の前記傾斜した前方端縁を基準として少なくとも１つの予め決められた方位角位置の１つに前記眼内インプラントを保持する働きをする眼内インプラント方位角位置決め装置
とを含む眼内インプラント注射アセンブリ。
【請求項４４】
眼内インプラント注射アセンブリであって、
触角を含む眼内インプラントと、
ユーザ感知可能な方位角位置インジケータを有する注射器と、
前記注射器を基準として少なくとも１つの予め決められた方位角位置の１つにおいて前記眼内インプラントを保持する働きをする眼内インプラント方位角位置決め装置
とを含む眼内インプラント注射アセンブリ。
【請求項４５】
前記注射器は傾斜した前方端縁を有し、かつ、前記眼内インプラント方位角位置決め装置は、前記注射器の前記傾斜前方端縁を基準として少なくとも１つの予め決められた方位角位置の１つにおいて前記眼内インプラントを保持する働きをする請求項４４に記載の眼内インプラント注射アセンブリ。
【請求項４６】
前記眼内インプラント方位角位置決め装置は、
方位角位置合わせ穴を含む後方位置決め要素と、
前記方位角位置合わせ穴と係合する働きをし、かつ、前記後方位置決め要素とこの前方位置決め要素との間の相対的な回転を防止する働きをする、方位角位置合わせピンを含む前方位置決め要素
とを備える請求項４３から４５のいずれかに記載の眼内インプラント注射アセンブリ。
【請求項４７】
前記前方位置決め要素は周縁フランジを含み、および、前記後方位置決め要素は、スナップ嵌め係合によって前記周縁フランジに係合する働きをする複数のスナップ嵌め係合要素を含む請求項４６に記載の眼内インプラント注射アセンブリ。
【請求項４８】
前記触角の傾斜部分が、前記後方位置決め要素の前方の内向き先細部分と、前記前方位置決め要素の後方の外向き先細部分との間に位置している請求項４６と請求項４７とのどちらかに記載の眼内インプラント注射アセンブリ。
【請求項４９】
前記後方位置決め要素の前記先細部分と前記前方位置決め要素の前記先細部分は、前記眼内インプラントが前記注射器内に装填される時に前記触角を案内して前記触角の機構的な完全性を維持するように形状構成されている請求項４８に記載の眼内インプラント注射アセンブリ。
【請求項５０】
前記眼内インプラント方位角位置決め装置は、前記注射器を基準として前記少なくとも１つの予め決められた方位角位置の１つに前記眼内インプラントを保持する働きをする複数の眼内インプラント位置決め突起を含む請求項４３から４９のいずれかに記載の眼内インプラント注射アセンブリ。
【請求項５１】
前記眼内インプラント方位角位置決め装置は、前記傾斜前方端縁の角位置と概ね同一である角位置を有し、かつ、前記傾斜前方末端と係合して前記眼内インプラントと前記注射器との間の前記少なくとも１つの予め決められた方位角位置の１つを実現するようになっている、傾斜した肩部を含む請求項４３と請求項４５から５０とのいずれかに記載の眼内インプラント注射アセンブリ。
【請求項５２】
さらに、前記眼内インプラントを前記眼内インプラント方位角位置決め装置から前記注射器の中に押し込む働きをするシャフト部分を含む眼内インプラント移動装置も備える請求項４３から５１のいずれかに記載の眼内インプラント注射アセンブリ。
【請求項５３】
前記触角は前記眼内インプラントの本体部分上にかつ前記光学軸に関して対称的に折り重なり、かつ、前記眼内インプラントが前記注射器内に配置される時に前記本体部分の前方に延びるようになっている請求項４３から５２のいずれかに記載の眼内インプラント注射アセンブリ。
【請求項５４】
前記注射器の前記傾斜前方端縁は、前記眼内インプラントが前記眼球内に注射される時に前記触角が逐次的に展開することを可能にするように形状構成されている請求項４３と請求項４５から５３とのいずれかに記載の眼内インプラント注射アセンブリ。
【請求項５５】
前記眼内インプラントはカプセル状の本体部分を含み、および、前記触角は、前記眼内インプラントが前記眼球内に移植される時に角膜から離れるように前記カプセル状本体部分を押し動かすようになっている請求項４３から５４のいずれかに記載の眼内インプラント注射アセンブリ。
【請求項５６】
前記触角は複数の触角翼部を含み、かつ、前記触角翼部の各々は、前記触角翼部の中を寄生光が通過することを遮断するように着色されている請求項４３から５５のいずれかに記載の眼内インプラント注射アセンブリ。
【請求項５７】
眼球内に眼内インプラントを注射する方法であって、
触角を含みかつ光学軸を有する眼内インプラントを提供することと、
前記光学軸が注射器軸線に対して平行であるように、前記注射器軸線を有する注射器の内側に前記眼内インプラントを配置することと、
前記光学軸と同軸である注射軸線に沿って前記眼内インプラントを移動させることによって前記眼内インプラントを前記眼球内に注射すること
とを含む方法。
【請求項５８】
前記配置することは、前記光学軸が前記注射器軸線と同軸であるように前記注射器の内側に前記眼内インプラントを配置することを含む請求項５７に記載の方法。
【請求項５９】
眼球内に眼内インプラントを注射するシステムであって、
触角を含みかつ光学軸を有する眼内インプラントと、
前記光学軸が注射器軸線に対して平行であるように中に配置されている前記眼内インプラントを有するようになっている、注射器軸線を有する注射器と、
前記光学軸と同軸である注射軸線に沿って前記眼内インプラントを移動させることによって前記眼内インプラントを前記眼球内に注射する働きをする眼内インプラント移動装置
とを含むシステム。
【請求項６０】
前記注射器軸線は、前記注射器軸線が前記光学軸と同軸であるように前記注射器内に配置されている前記眼内インプラントを有するようになっている請求項５９に記載のシステム。
【発明の詳細な説明】
【技術分野】
【０００１】
本発明は一般的に眼球インプラントに関し、さらに特に眼内インプラントに関する。
【背景技術】
【０００２】
次の特許公開が現時点での従来技術の現状を示すと考えられる。
米国特許第５，８１４，１０３号、同第５，８７６，４４２号、同第５，９２８，２８３号、同第６，００７，５７９号、同第６，０６６，１７１号、同第５，６５３，７５１号、同第６，５９６，０２６号、同第６，４６４，７２５号、同第５，３９１，２０２号、同第５，３８４，６０６号、同第４，０７４，３６８号、同第４，９９４，０８２号、同第５，６２８，７９８号、同第５，２２２，９８１号、同第４，１７２，２９７号、同第５，７６９，８９０号、同第４，８９２，５４３号、同第４，３７３，２１８号、同第４，９６８，１２７号、同第４，７５９，７６１号、同第４，９７６，７３２号、および、同第５，７６９，８８９号、
公開米国出願２００１／０１８，６１２、
公開ＰＣＴ出願  ＷＯ  ９４／０７，４３５、ＷＯ  ００／３８５９３、および、ＷＯ  ８３／０１５６６、
外国特許公開  ＤＥ  ４，４０３，３２６、ＥＰ  １，０９２，４０２、ＥＰ  ０，４１９，７４０、ＧＢ  ２，１８１，３５５、ＥＰ  ０，８９７，７０２、ＥＰ  ０，２１２，６１６、ＤＥ  ３，４２８，８９５、および、ＤＥ  １９，５０１，４４４。
【発明の開示】
【発明が解決しようとする課題】
【０００３】
本発明は、改良された眼内インプラントを生産することを求める。
【課題を解決するための手段】
【０００４】
したがって、本発明の好ましい実施態様によって、光学部分（ｏｐｔｉｃｓ  ｐｏｒｔｉｏｎ）と、この光学部分と同軸に取り付けられている弾性で可とう性の触角部分（ｈａｐｔｉｃｓ  ｐｏｒｔｉｏｎ）とを含む、注射可能な眼内インプラントが提供される。
【０００５】
本発明の好ましい実施態様では、この光学部分と触角部分とが、相互にスナップ嵌め係合するように構成されている。光学部分が望遠鏡を含むことが好ましい。これに加えて、または、この代わりに、触角部分が生体適合性プラスチックで形成されている。
【０００６】
本発明の別の好ましい実施態様では、触角部分が、その円筒形部分と共に一体的に形成されている複数の外方に延びる触角翼部（ｈａｐｔｉｃｓ  ｗｉｎｇ）を有する円筒形部分を含む。あるいは、この代わりに、この触角部分は、少なくとも１つの螺旋状セクションを含む外方に延びる螺旋状部分を含む。この少なくとも１つの螺旋状セクションの各々が、触角渦巻き形部分（ｈａｐｔｉｃｓ  ｓｐｉｒａｌ  ｐｏｒｔｉｏｎ）と、その他の渦巻き形部分と、触角渦巻き形部分とその他の渦巻き形部分とを連結する脆弱部分とを含むことが好ましい。
【０００７】
本発明の別の好ましい実施態様では、触角部分が、概ね円形の内向きの壁部分と概ね円形の外向きの壁部分とを画定する中空の概ね円筒形の構造を含む。この内向きの壁部分が、その中に概ね円形の光学係合穴（ｏｐｔｉｃｓ  ｅｎｇａｇｅｍｅｎｔ  ａｐｅｒｔｕｒｅ）を画定することが好ましい。これに加えて、または、この代わりに、内向きの壁部分と外向きの壁部分の各々が、その中に概ね円形の光学係合穴を画定する。これに加えて、または、この代わりに、触角翼部の各々は、その触角翼部の中を寄生光が通過することを遮断するように着色されている。
【０００８】
さらに、本発明の別の好ましい実施態様では、眼球の中に眼内インプラントを挿入する方法が提供され、この方法は、光学部分とこの光学部分と同軸に取り付けられている弾性で可とう性の触角部分とを含む注射可能な眼内インプラントを提供することと、注射器の送達チューブ内にその注射可能な眼内インプラントを配置することと、この送達チューブを眼球の水晶体嚢の中に挿入することと、注射可能な眼内インプラントをその水晶体嚢の中に注射することとを含む。
【０００９】
本発明の別の好ましい実施態様では、上記注射することは、水晶体嚢の中に眼内インプラントを押し込むために流体圧を使用することを含む。この流体が生体適合性流体であることが好ましい。これに加えて、または、この代わりに、触角部分は触角翼部を含み、および、上記配置することが、光学部分上に触角部分を折り重ねることを含む。
【００１０】
本発明の別の好ましい実施態様では、上記配置することが、光学部分の外向きの末端が送達チューブ内に後方に配置される形で眼内インプラントを配置することを含む。触角部分が、外方に延びる螺旋状の部分を含み、かつ、上記配置することがその螺旋状の部分をコイル状に巻くことを含むことが好ましい。これに加えて、上記注射することは、注射器を回転させることを含む。
【００１１】
本発明のさらに別の好ましい実施態様では、その外方に延びる螺旋状部分は、触角渦巻き形部分と、その他の渦巻き形部分と、触角渦巻き形部分とその他の渦巻き形部分とを連結する脆弱部分とを含み、および、上記回転させることは、その脆弱部分が破断することを引き起こし、これによってその他の渦巻き形部分から触角渦巻き形部分を分離させる。
【００１２】
本発明のさらに別の好ましい実施態様では、触角部分が外向きの壁部分を含み、および、上記配置することは、光学部分の外向きの末端の上で外向きの壁部分を引っ張ることを含む。この配置することが、注射器内の流体流の通路を封止することを含むことが好ましい。これに加えて、上記注射することは、流体流の通過を封止解除することを含む。
【００１３】
本発明のさらに別の好ましい実施態様では、上記配置することは、触角部分を送達注射器の中に引き込むことを含む。この方法がさらに触角部分に穿孔することを含むことが好ましい。
【００１４】
本発明のさらに別の好ましい実施態様では、眼内インプラント注射アセンブリであって、
眼内インプラント位置決めサブアセンブリと、
触角を含みかつ光学軸を有する眼内インプラントであって、眼内インプラント位置決めサブアセンブリを基準として少なくとも１つの第１の予め決められた方位角位置の１つにおいて、眼内インプラント位置決めサブアセンブリ内に取り付けられている眼内インプラントと、
ハウジングを基準として少なくとも１つの第２の予め決められた方位角位置の１つにおいて、眼内インプラント位置決めサブアセンブリを保持するハウジングと、
傾斜した前方端縁を有する注射器であって、この傾斜した前方端縁が上記ハウジングを基準として少なくとも１つの第３の予め決められた方位角位置の１つに位置しているように上記ハウジング内に保持されている注射器
とを含む眼内インプラント注射アセンブリがさらに提供される。
【００１５】
本発明のさらに別の好ましい実施態様では、眼内インプラント注射アセンブリであって、
眼内インプラント位置決めサブアセンブリと、
触角を含みかつ光学軸を有する眼内インプラントであって、眼内インプラント位置決めサブアセンブリを基準として少なくとも１つの第１の予め決められた方位角位置の１つにおいて、眼内インプラント位置決めサブアセンブリ内に取り付けられている眼内インプラントと、
ハウジングを基準として少なくとも１つの第２の予め決められた方位角位置の１つにおいて、眼内インプラント位置決めサブアセンブリを保持するハウジングと、
ユーザ感知可能な方位角位置インジケータを有する注射器であって、上記ハウジングを基準として少なくとも１つの第３の予め決められた方位角位置の１つにおいて上記ハウジング内に保持されている注射器
とを含む眼内インプラント注射アセンブリがさらに提供される。
【００１６】
本発明の好ましい実施態様では、注射器は傾斜した前方端縁を有し、かつ、この注射器は、この傾斜した前方端縁が上記ハウジングを基準として少なくとも１つの第４の予め決められた方位角位置の１つに位置しているように上記ハウジング内に保持されている。
【００１７】
本発明のさらに別の好ましい実施態様では、眼内インプラント位置決めサブアセンブリは、方位角位置合わせ穴を含む後方位置決め要素と、方位角位置合わせ穴と係合する働きをしかつ後方位置決め要素と前方位置決め要素との間の相対的な回転を防止する働きをする方位角位置合わせピンを含む前方位置決め要素とを含む。この前方位置決め要素が周縁フランジを含むことと、後方位置決め要素が、スナップ嵌め係合によって周縁フランジに係合する働きをする複数のスナップ嵌め係合要素を含むこととが好ましい。
【００１８】
本発明のさらに別の好ましい実施態様では、触角の傾斜部分は、後方位置決め要素の前方の内向き先細部分と、前方位置決め要素の後方の外向き先細部分との間に位置している。後方位置決め要素の先細部分と前方位置決め要素の先細部分とが、眼内インプラントが注射器内に装填される時に触角を案内してその触角の機構的な完全性を維持するように形状構成されていることが好ましい。
【００１９】
本発明のさらに別の好ましい実施態様では、眼内インプラント位置決めサブアセンブリは、その眼内インプラント位置決めサブアセンブリを基準として少なくとも１つの第１の予め決められた方位角位置の１つにおいて眼内インプラントを保持する働きをする複数の眼内インプラント位置決め突起を含む。眼内インプラント位置決めサブアセンブリが傾斜した肩部を含み、および、この傾斜した肩部が、前方傾斜端縁の角位置と概ね同一である角位置を有し、かつ、前方傾斜端縁と係合して眼内インプラント位置決めサブアセンブリを基準として注射器の少なくとも１つの予め決められた方位角位置を実現するようになっていることが好ましい。
【００２０】
本発明のさらに別の好ましい実施態様では、注射器の前方傾斜端縁は、眼球内に眼内インプラントが注射される時に触角が逐次的に展開することを可能にするように形状構成されている。ハウジングが、ユーザ感知可能な方位角位置インジケータをスライド自在に収容するように構成されている少なくとも１つの縦方向スロットを含むことが好ましい。これに加えて、または、この代わりに、ハウジングは、弾性材料で形成されており、かつ、注射器をその中に挿入することを可能にするように少なくとも部分的に二叉状に分岐している。
【００２１】
本発明のさらに別の好ましい実施態様では、眼内インプラント注射アセンブリは、さらに、ハウジングに係合するようになっている眼内インプラント移動装置（ｉｎｔｒａｏｃｕｌａｒ  ｉｍｐｌａｎｔ  ｄｉｓｐｌａｃｅｒ）も含む。この眼内インプラント移動装置が、眼内インプラントを眼内インプラント位置決めサブアセンブリから注射器の中に押し込む働きをするシャフト部分を含むことが好ましい。これに加えて、または、この代わりに、触角が、眼内インプラントの本体部分上にかつ光学軸に関して対称的に折り重なり、かつ、眼内インプラントが注射器内に配置される時にその本体部分の前方に延びるようになっていることが好ましい。
【００２２】
本発明のさらに別の好ましい実施態様では、眼内インプラントはカプセル状の本体部分を含み、および、触角は、眼内インプラントが眼球内に移植される時に角膜から離れるようにそのカプセル状本体部分を押し動かす。この触角が複数の触角翼部を含み、かつ、この触角翼部の各々が、この触角翼部の中を寄生光が通過することを遮断するように着色されていることが好ましい。
【００２３】
さらに、本発明の別の好ましい実施態様では、触角を含む眼内インプラントと、傾斜した前方端縁を有する注射器と、この注射器の傾斜した前方端縁を基準として少なくとも１つの予め決められた方位角位置の１つに眼内インプラントを保持する働きをする眼内インプラント方位角位置決め装置（ｉｎｔｒａｏｃｕｌａｒ  ｉｍｐｌａｎｔ  ａｚｉｍｕｔｈａｌ  ｐｏｓｉｔｉｏｎｅｒ）とを含む、眼内インプラント注射アセンブリが提供される。
【００２４】
これに加えて、本発明のさらに別の好ましい実施態様では、触角を含む眼内インプラントと、ユーザ感知可能な方位角位置インジケータを有する注射器と、この注射器を基準として少なくとも１つの予め決められた方位角位置の１つにおいて眼内インプラントを保持する働きをする眼内インプラント方位角位置決め装置とを含む、眼内インプラント注射アセンブリが提供される。注射器が傾斜前方端縁を有し、かつ、眼内インプラント方位角位置決め装置が、注射器の傾斜前方端縁を基準として少なくとも１つの予め決められた方位角位置の１つにおいて眼内インプラントを保持する働きをすることが好ましい。
【００２５】
本発明の好ましい実施態様では、眼内インプラント方位角位置決め装置は、方位角位置合わせ穴を含む後方位置決め要素と、方位角位置合わせ穴と係合する働きをしかつ後方位置決め要素と前方位置決め要素との間の相対的な回転を防止する働きをする方位角位置合わせピンを含む前方位置決め要素とを含む。この前方位置決め要素が周縁フランジを含むことと、後方位置決め要素が、スナップ嵌め係合によって周縁フランジに係合する働きをする複数のスナップ嵌め係合要素を含むこととが好ましい。
【００２６】
本発明の別の好ましい実施態様では、触角の傾斜部分が、後方位置決め要素の前方の内向き先細部分と、前方位置決め要素の後方の外向き先細部分との間に位置している。後方位置決め要素の先細部分と前方位置決め要素の先細部分とが、眼内インプラントが注射器内に装填される時に触角を案内してその触角の機構的な完全性を維持するように形状構成されていることが好ましい。
【００２７】
本発明のさらに別の好ましい実施態様では、眼内インプラント方位角位置決め装置は、注射器を基準として少なくとも１つの予め決められた方位角位置の１つに眼内インプラントを保持する働きをする複数の眼内インプラント位置決め突起を含む。眼内インプラント方位角位置決め装置が、傾斜前方端縁の角位置と概ね同一であり、かつ、この傾斜前方末端と係合して眼内インプラントと注射器との間の少なくとも１つの予め決められた方位角位置の１つを実現する角位置を有する、傾斜した肩部を含むことが好ましい。
【００２８】
本発明のさらに別の好ましい実施態様では、眼内インプラント注射アセンブリは、さらに、眼内インプラントを眼内インプラント方位角位置決め装置から注射器の中に押し込む働きをするシャフト部分を含む眼内インプラント移動装置も含む。触角が眼内インプラントの本体部分上にかつ光学軸に関して対称的に折り重なり、かつ、眼内インプラントが注射器内に配置される時にその本体部分の前方に延びるようになっていることが好ましい。これに加えて、または、この代わりに、注射器の傾斜前方端縁が、眼内インプラントが眼球内に注射される時に触角が逐次的に展開することを可能にするように形状構成されている。
【００２９】
本発明のさらに別の好ましい実施態様では、眼内インプラントはカプセル状の本体部分を含み、および、触角は、眼内インプラントが眼球内に移植される時に角膜から離れるようにそのカプセル状本体部分を押し動かす。この触角が複数の触角翼部を含み、かつ、この触角翼部の各々が、この触角翼部の中を寄生光が通過することを遮断するように着色されていることが好ましい。
【００３０】
本発明のさらに別の好ましい実施態様では、眼球内に眼内インプラントを注射する方法が提供され、この方法は、触角を含みかつ光学軸を有する眼内インプラントを提供することと、光学軸が注射器軸線に対して平行であるように、注射器軸線を有する注射器の内側に眼内インプラントを配置することと、光学軸と同軸である注射軸線に沿って眼内インプラントを移動させることによって眼内インプラントを眼球内に注射することとを含む。この配置することが、光学軸が注射器軸線と同軸であるように注射器の内側に眼内インプラントを配置することを含むことが好ましい。
【００３１】
本発明のさらに別の好ましい実施態様では、眼球内に眼内インプラントを注射するシステムがさらに提供され、このシステムは、触角を含みかつ光学軸を有する眼内インプラントと、光学軸が注射器軸線に対して平行であるように中に配置されている眼内インプラントを有するようになっている、注射器軸線を有する注射器と、光学軸と同軸である注射軸線に沿って眼内インプラントを移動させることによって眼内インプラントを眼球内に注射する働きをする眼内インプラント移動装置とを含む。眼内インプラントが、注射器軸線が光学軸と同軸であるように注射器内に配置されていることが好ましい。
【００３２】
本発明は、添付図面に関連付けて行われる以下の詳細な説明からより完全に理解され認識されるだろう。
【発明を実施するための最良の形態】
【００３３】
さて、本発明の好ましい実施形態にしたがって構成されておりかつ機能する注射可能な眼内インプラントを示す、図１Ａから図１Ｄを参照する。このインプラントが、光学部分１００と、好ましくはこの光学部分１００上にスナップ嵌めで取り付けられていることが好ましい触角部分１０２とを含むことが好ましい。
【００３４】
光学部分１００は任意の適切な光学部分であってよく、および、（必ずしも必要ではないが）望遠鏡であることが好ましい。好ましい眼内インプラントが、次に示してある本出願人／譲受人の公開された特許文献で説明されており、これらの特許文献の開示内容が本明細書に引例として組み入れられている。
米国特許第５，３９１，２０２号、同第５，３５４，３３５号、同第５，８１４，１０３号、同第５，８７６，４４２号、同第５，９２８，２８３号、同第６，００７，５７９号、同第６，０６６，１７１号、同第６，５６９，１９９号、同第６，５６９，０２６号、および、米国公開出願ＵＳＳＮ  １０／３４２，１６０、および、同１０／３２１，７９３。
【００３５】
光学部分１００は、任意の適切な組合せの形で上述の特許文献に説明されている特徴の１つまたは複数を含むだろうし、および、好ましくは、以下では外向き末端１１０と呼ばれているその一方の末端に隣接して周縁溝１１２を有する円筒の形状である。触角部分１０２が、生体適合性プラスチックのような弾性で可とう性の材料で形成されており、かつ、一体的に形成されている複数の外方に延びる触角翼部１２６を有する円筒形部分１２４を含むことが好ましい。この円筒形部分１２４が、以下では外向き末端１３０と呼ばれている一方の末端に隣接した内向きの周縁突起１２８を有する形で形成されていることが好ましい。この突起１２８は、図示されているように、円筒形部分１２４が光学部分１００と同軸的な包囲関係にある時に、光学部分１００上の溝１１２に対して通常は取り外し不可能であるスナップ嵌め係合状態にあるように構成されている。
【００３６】
触角翼部１２６が、その触角翼部を寄生光が通過することを遮断するように少なくとも部分的に不透明であることが好ましいということが理解される。
【００３７】
光学部分１００と触角部分１０２との間の通常は取り外し不可能であるスナップ嵌め係合状態を実現するために、光学部分１００の周縁溝１１２がその光学部分に沿った任意の場所に配置されてよく、かつ、触角部分１０２の円筒形部分１２４の内向き周縁突起１２８がその円筒形部分に沿った任意の場所に配置されてよいということが理解される。
【００３８】
次に、流体で満たされた皮下注射送達注射器１４０内に配置されている図１Ａ−１Ｄの注射可能な眼内インプラントの単純化された斜視図と断面図である、図２と図３とを参照する。触角翼部１２６が光学部分１００上に折り重ねられていることと、インプラントが、外向き末端１１０、１３０が送達注射器１４０の送達チューブ１４２内に後方に配置されている形で配置されている。生体適合性流体１４４のような流体が、送達注射器１４０のピストン１４０の前方とインプラントの後方とに配置されている。
【００３９】
次に、図２および図３の送達注射器構成内の図１Ａ−１Ｄの眼内インプラントを患者の眼球内に注射する４つの段階の単純化された断面図である、図４Ａと図４Ｂと図４Ｃと図４Ｄとを参照する。図４Ａは、眼球の水晶体嚢の中への送達注射器１４０の送達チューブ１４２の先端の初期挿入を示す。図４Ｂは、送達注射器１４０から出されて水晶体嚢の中へ送り込まれる眼内インプラントを示す。図４Ｃは、水晶体嚢の内側での触角の展開を示し、および、図４Ｄは、水晶体嚢内における、完全に展開した触角翼部１２６を含む眼内インプラントの適正な位置を示す。
【００４０】
次に、特別に設計された非流体充填型の皮下注射送達注射器１６０内に配置されている図１Ａ−１Ｄの注射可能な眼内インプラントの単純化された斜視図と断面図である図５と図６とを参照する。触角翼部１２６が光学部分１００上に折り重ねられていることと、眼内インプラントが、その外向き末端１１０、１３０が送達注射器１６０の送達チューブ１６２内に後方に配置されている形で配置されていることとが見てとれる。送達注射器１６０のピストン１６６が、眼内インプラントの光学部分１００の外向き末端１１０に係合する。
【００４１】
次に、図５および図６の送達注射器構成内の図１Ａ−１Ｄの眼内インプラントを患者の眼球内に注射する４つの段階の単純化された断面図である図７Ａと図７Ｂと図７Ｃと図７Ｄとを参照する。図７Ａは、眼球の水晶体嚢の中への送達注射器１６０の送達チューブ１６２の先端の初期挿入を示す。図７Ｂは、送達注射器１６０から外に出されて水晶体嚢の中に送り込まれる眼内インプラントを示す。図７Ｃは、水晶体嚢の内側での触角翼部１２６の展開を示し、および、図７Ｄは、水晶体嚢内における、完全に展開した触角翼部１２６を含む眼内インプラントの適正な位置を示す。
【００４２】
次に、本発明の別の好ましい実施形態にしたがって構成されており機能する注射可能な眼内インプラントを示す図８Ａ−８Ｄを参照する。このインプラントが、光学部分２００と、この光学部分２００上にスナップ嵌めされていることが好ましい触角部分２０２とを含むことが好ましいということが見てとれる。
【００４３】
光学部分２００は任意の適切な光学部分であってよく、および、好ましくは（必ずしも必要でないが）望遠鏡である。好ましい眼内インプラントが、次に示してある本出願人／譲受人の公開された特許文献で説明されており、これらの特許文献の開示内容が本明細書に引例として組み入れられている。
米国特許第５，３９１，２０２号、同第５，３５４，３３５号、同第５，８１４，１０３号、同第５，８７６，４４２号、同第５，９２８，２８３号、同第６，００７，５７９号、同第６，０６６，１７１号、同第６，５６９，１９９号、同第６，５６９，０２５号、および、米国公開出願ＵＳＳＮ  １０／３４２，１６０、および、同１０／３２１，７９３。
【００４４】
光学部分２００は、任意の適切な組合せの形で上述の特許文献に説明されている特徴のいずれか１つまたは複数を含むだろうし、および、好ましくは、以下では内向き末端２１０と呼ばれているその一方の末端に隣接して周縁溝２１２を有する円筒の形状である。触角部分２０２が、生体適合性プラスチックのような弾性で可とう性の材料で形成されており、かつ、外方に延びる螺旋状部分２２２と概ね円筒形の末端部分２２４と共に一体的に形成されている概ね円筒形の光学係合部分２２０を含むことが好ましい。
【００４５】
この円筒形の光学係合部分２２０が、以下では内向き末端２３０と呼ばれている一方の末端に隣接した内向きの周縁突起２２８を有する形で形成されていることが好ましい。この突起２２８は、図示されているように円筒形光学係合部分２２０が光学部分２００と同軸的な包囲関係にある時に、光学部分２００上の溝２１２に対して通常は取り外し不可能であるスナップ嵌め係合状態にあるように構成されている。
【００４６】
光学部分２００と触角部分２０２との間の通常は取り外し不可能であるスナップ嵌め係合状態を実現するために、光学部分２００の周縁溝２１２がその光学部分に沿った任意の場所に配置されてよく、かつ、触角部分２０２の円筒形光学係合部分２２０の内向き周縁突起２２８がその円筒形部分に沿った任意の場所に配置されてよいということが理解される。
【００４７】
図８Ａに見てとれるように、外方に延びる螺旋状部分２２２が少なくとも１つの（および、好ましくは２つ以上の）螺旋状セクション２３４を含み、および、これらの螺旋状セクション２３４が、一方の末端において概ね円筒形の光学係合部分２２０に連結されており、かつ、その反対側に位置した末端において概ね円筒形の末端部分２２４に連結されていることが好ましい。少なくとも１つの螺旋状セクション２３４の各々が、切り込み付きの脆弱部分２４０においてその他の渦巻き形部分２３８に連結されている触角渦巻き形部分２３６を含むことが好ましい。切り込み付き脆弱部分２４０は、図１１Ｂを参照して後述されるように、その他の渦巻き形部分２３８からの触角渦巻き形部分２３６の分離を可能にする。
【００４８】
これに対する代替策として、切り込み付き脆弱部分２４０とその他の渦巻き形部分２３８とが省略されてもよく、および、触角渦巻き形部分２３６が概ね円筒形の末端部分２２４に直接的に連結されてもよい。図１２Ａ−１２Ｄを参照して後述するように、この実施形態では、末端部分２２４も眼球の水晶体嚢の中に注射される。
【００４９】
図８Ａと図８Ｂと図８Ｃとにさらに見てとれるように、眼球内への図８Ａ−８Ｄの眼内インプラントの注射の前に、概ね円筒形の末端部分２２４が送達注射器２５０内に入れられ、および、外方に延びる螺旋状部分２２２が、矢印２５２（図８Ａ）によって示されているように、送達注射器２５０内の緊密に巻かれた状態に巻かれる。その次に、図８Ｄに見てとれるように、円筒形光学係合部分２２０が、光学部分２００とのスナップ嵌め係合状態にされる。
【００５０】
次に、送達注射器２５０内に配置されている図８Ａ−８Ｄの注射可能な眼内インプラントの単純化された斜視図と断面図である、図９と図１０とを参照する。触角部分２０２の外方に延びる螺旋状部分２２２が光学部分２００上に巻き付けられていることと、内向き末端２１０、２３０が送達注射器２５０の送達チューブ２５４内に前方に配置されている形で眼内インプラントが配置されていることが見てとれる。送達注射器２５０のピストン２５６が触角部分２０２の概ね円筒形である末端部分２２４に係合する。
【００５１】
次に、図９および図１０の送達注射器構成内の図８Ａ−８Ｄの眼内インプラントを患者の眼球内に注射する４つの段階の単純化された断面図である、図１１Ａと図１１Ｂと図１１Ｃと図１１Ｄとを参照する。
【００５２】
図１１Ａは、眼球の水晶体嚢の中への送達注射器２５０の送達チューブ２５４の先端の初期挿入を示す。
【００５３】
図１１Ｂは、送達注射器２５０から外に出されて水晶体嚢の中に送り込まれる眼内インプラントを示す。図１１Ｂに見てとれるように、触角渦巻き形部分２３６は、送達注射器２５０を出る時に巻きが解けて水晶体嚢の中に外方に延びる。切り込み付き脆弱部分２４０が送達注射器２５０から外に出た後に、送達注射器２５０は、矢印２６０で示されているように回転させられ、脆弱部分２４０の破断を生じさせて、触角渦巻き形部分２３６とその他の渦巻き形部分２３８とを分離させる。
【００５４】
図１１Ｃに見てとれるように、触角渦巻き形部分２３６とその他の渦巻き形部分２３８との分離の後に、触角渦巻き形部分２３６は光学部分２００と共に水晶体嚢内に残留し、これと同時に、その他の渦巻き形部分２３８は送達注射器２５０内に残留し、その後で送達注射器２５０が眼球から取り外される。
【００５５】
図１１Ｄは、水晶体嚢内における、触角部分２０２の完全に展開した触角渦巻き形部分２３６と光学部分２００とを含む、眼内インプラントの適正な位置を示す。
【００５６】
次に、本発明の別の好ましい実施形態による、図９および図１０の送達注射器構成内の図８Ａ−８Ｄの眼内インプラントを患者の眼球内に注射する４つの段階の単純化された断面図である、図１２Ａと図１２Ｂと図１２Ｃと図１２Ｄとを参照する。図１２Ａ−１２Ｄの実施形態では、少なくとも１つの螺旋状セクション２３４の触角渦巻き形部分２３６が、一方の末端において概ね円筒形の光学係合部分２２０に連結されており、かつ、その反対側に位置した末端において概ね円筒形の末端部分２２４に連結されていることが好ましく、かつ、螺旋状セクション２３４が切り込み付き脆弱部分２４０とその他の渦巻き形部分２３８とを含まないことが好ましい。これに対する代替策として、螺旋状セクション２３４は、切り込み付き脆弱部分２４０と、末端部分２２４に連結されているその他の渦巻き形部分２３８とを含んでもよい。
【００５７】
図１２Ａは、眼球の水晶体嚢の中への送達注射器２５０の送達チューブ２５４の先端の初期挿入を示す。
【００５８】
図１２Ｂは、送達注射器２５０から外に出されて水晶体嚢の中に送り込まれる眼内インプラントを示す。図１２Ｂに見てとれるように、触角渦巻き形部分２３６は、送達注射器２５０を出る時に巻きが解けて水晶体嚢の中に外方に延びる。図１２Ｂの実施形態は、送達注射器２５０が切り込み付き脆弱部分２４０を破断させるために回転させられることがないという点と、触角部分２０２全体が水晶体嚢内に注射されるという点で、図１１Ｂの実施形態とは異なる。
【００５９】
図１２Ｃ−１２Ｄに見てとれるように、触角部分２０２と光学部分２００との注射の後に、送達注射器２５０が眼球から取り外され、および、外方に延びる螺旋状部分２２２がその当初の形態になる形に巻きが解けて、触角部分２０２の完全に展開した触角渦巻き形部分２３６と光学部分２００とを含む眼内インプラントの水晶体嚢内の適正な状態を実現する。
【００６０】
次に、本発明のさらに別の好ましい実施形態にしたがって構成されておりかつ機能する注射可能な眼内インプラントを示す、図１３Ａ−１３Ｃを参照する。この眼内インプラントが、光学部分３００と、好ましくはこの光学部分３００上にスナップ嵌めによって取り付けられている触角部分３０２とを含むことが好ましいということが見てとれる。
【００６１】
光学部分３００は任意の適切な光学部分であってよく、および、（必ずしも必要ではないが）望遠鏡であることが好ましい。好ましい眼内インプラントが、次に示してある本出願人／譲受人の公開された特許文献で説明されており、これらの特許文献の開示内容が本明細書に引例として組み入れられている。
米国特許第５，３９１，２０２号、同第５，３５４，３３５号、同第５，８１４，１０３号、同第５，８７６，４４２号、同第５，９２８，２８３号、同第６，００７，５７９号、同第６，０６６，１７１号、同第６，５６９，１９９号、同第６，５６９，０２６号、および、米国公開出願ＵＳＳＮ  １０／３４２，１６０、および、同１０／３２１，７９３。
【００６２】
光学部分３００は、任意の適切な組合せの形で上述の特許文献に説明されている特徴の１つまたは複数を含むだろうし、および、好ましくは、以下では内向き末端３１０と呼ばれているその一方の末端に隣接して周縁溝３１２を有する円筒の形状である。
【００６３】
触角部分３０２が、概ね円形の内向き壁部分３１４と概ね円形の外向き壁部分３１６とを画定する中空で概ね円筒形の構造を有する、弾性で可とう性の材料で形成されていることが好ましい。壁部分３１４、３１６の各々が、その中に概ね円形の光学係合穴３２０を画定することが好ましい。壁部分３１４、３１６の各々が、その光学係合穴３２０に隣接している内向きの周縁突起３２８を有する形で形成されていることが好ましい。壁部分３１４の突起３２８は、図示されているように触角部分３０２が光学部分３００との同軸的な包囲関係にある時に、光学部分３００の溝３１２に対して通常は取り外し不可能なスナップ嵌め係合状態にあるように構成されている。
【００６４】
壁部分３１６の突起３２８は、さらに詳細に後述するように、壁部分３１６と送達注射器との係合のために構成されている。
【００６５】
触角部分３０２が透明な材料で形成されていることが好ましいが、この触角部分３０２が、グレアの除去および／または減少に適している不透明部分を有する形で形成されてもよいということが理解される。
【００６６】
次に、送達注射器内に配置されている図１３Ａ−１３Ｃの注射可能な眼内インプラントの単純化された斜視図と断面図である図１４Ａと図１４Ｂと、図１４Ａおよび図１４Ｂの送達注射器構成内の図１３Ａ−１３Ｃの眼内インプラントを患者の眼球内に注射する４つの段階の単純化された断面図である、図１５Ａと図１５Ｂと図１５Ｃと図１５Ｄとを参照する
【００６７】
図１４Ａ−１４Ｂに見てとれるように、眼球内への図１３Ａ−１３Ｃの眼内インプラントの注射の前に、触角部分３０２の外向き壁部分３１６が光学部分３００の外向き末端３３０上を引っ張られて、送達注射器３５０の外壁３４０と係合させられる。特に図１４Ｂに見てとれるように、外壁３４０が、壁部分３１６の突起３２８と係合して触角部分３０２の壁部分３１６を送達注射器３５０に固着させる、内側に向けられた周縁突起３５２を含むことが好ましい。さらに図１４Ａ−１４Ｂに見てとれるように、壁部分３１６を引っ張ることが、触角部分３０２を光学部分３００上に重なる細長い概ね円筒形の状態に変形させることを引き起こす。
【００６８】
送達注射器３５０が、さらに、場所３５８において注射器３５０の後ろ向き壁３５６と流体連通している流体流通路３５４も含むことが好ましい。この流体流通路３５４が、さらに、チューブ３６０を経由して真空ポンプ（図示されていない）と流体連通していることが好ましい。
【００６９】
図１５Ａに見てとれるように、水晶体嚢の中に眼内インプラントを挿入する前に、流体流通路３５４は、場所３５８を覆うことによって一時的に封止され、および、真空ポンプは、触角部分３０２内に収容されている空気を取り除くように作動させられる。図１５Ａは、眼球の水晶体嚢の中への送達注射器３５０の初期挿入を示す。真空ポンプの動作が触角部分３０２が光学部分３００の上にぴったりと過度に可能にするということが理解される。
【００７０】
図１５Ｂ−１５Ｃに見てとれるように、水晶体嚢の中に眼内インプラントを挿入した後に、眼内インプラントの触角部分３０２は、触角部分３０２の壁部分３１４、３１６がその当初の概ね円形の状態に戻る時に、光学部分３００から外方に延びる。図１５Ｂに見てとれるように、流体流通路３５４の封止解除が、空気がその流体流通路３５４の中を通って流れて、触角部分３０２と光学部分３００との間に形成されている空間の中に入り、触角部分３０２の膨張を引き起こし、および、送達注射器３５０の外壁３４０が触角部分３０２の壁部分３１６の突起３２８から分離することを引き起こす。
【００７１】
図１５Ｄに見てとれるように、触角部分３０２と光学部分３００とを注射した後に、送達注射器３５０は眼球から取り外され、および、触角部分３０２が水晶体嚢内においてその当初の形態に戻り、完全に展開した触角部分３０２と光学部分３００とを含む眼内インプラントの適正な状態を実現する。
【００７２】
次に、本発明の別の好ましい実施形態にしたがって構成されておりかつ機能する注射可能な眼内インプラントを図示する図１６Ａ−１６Ｃを参照する。この眼内インプラントが、光学部分４００と、この光学部分４００上にスナップ嵌めまたは締まり嵌めされていることが好ましい触角部分４０２とを含むことが好ましいということが見てとれる。
【００７３】
光学部分４００は任意の適切な光学部分であってよく、および、（必ずしも必要ではないが）望遠鏡であることが好ましい。好ましい眼内インプラントが、次に示してある本出願人／譲受人の公開された特許文献で説明されており、これらの特許文献の開示内容が本明細書に引例として組み入れられている。
米国特許第５，３９１，２０２号、同第５，３５４，３３５号、同第５，８１４，１０３号、同第５，８７６，４４２号、同第５，９２８，２８３号、同第６，００７，５７９号、同第６，０６６，１７１号、同第６，５６９，１９９号、同第６，５６９，０２６号、および、米国公開出願ＵＳＳＮ  １０／３４２，１６０、および、同１０／３２１，７９３。
【００７４】
この光学部分４００は、上記の特許文献に説明されている特徴の任意の１つまたは複数を含んでよく、および、以下では内向き末端４１０と呼ばれるその一方の末端に隣接して周縁溝４１２を有する円筒の形態であることが好ましい。
【００７５】
触角部分４０２が、概ね円形の内向き壁部分４１４と概ね円形の外向き壁部分４１６とを画定する中空で概ね円筒形の構造を有する、弾性で可とう性の材料で形成されていることが好ましい。壁部分４１４が、その中の概ね円形の光学係合穴４２０を画定することが好ましい。壁部分４１４が、その光学係合穴４２０に隣接している内向きの周縁突起４２８を有する形に形成されていることが好ましい。壁部分４１４の突起４２８は、図示されているように触角部分４０２が光学部分４００との同軸的な包囲関係にある時に、光学部分４００の溝４１２に対して通常は取り外し不可能なスナップ嵌めまたは張力嵌め（ｔｅｎｓｉｏｎ−ｆｉｔ）係合状態にあるように構成されている。
【００７６】
触角部分３０２が透明材料で形成されていることが好ましいが、グレアの除去および／または減少に適している不透明部分を有する形で形成されてもよいということが理解される。
【００７７】
次に、送達注射器内に配置されている図１６Ａ−１６Ｃの注射可能な眼内インプラントの単純化された斜視図と断面図である図１７Ａと図１７Ｂと、図１７Ａおよび図１７Ｂの送達注射器構成内の図１６Ａ−１６Ｃの眼内インプラントを患者の眼球内に注射する４つの段階の単純化された断面図である、図１８Ａと図１８Ｂと図１８Ｃと図１８Ｄとを参照する。
【００７８】
図１７Ａ−１７Ｂに見てとれるように、眼球内への図１６Ａ−１６Ｃの眼内インプラントの注射の前に、触角部分４０２の外向き壁部分４１６が、矢印４５８の方向にピストン４５６を延ばすことによって真空送達注射器４５０の中に引き込まれる。図１７Ａ−１７Ｂに見てとれるように、送達注射器４５０の中への壁部分４１６の引き込みが、触角部分４０２が、光学部分４００上に重なる細長い概ね円筒形の状態に一時的に変形させられることを生じさせる。
【００７９】
図１８Ａは、矢印４６０の方向における、眼球の水晶体嚢の中への送達注射器４５０の初期挿入を示す。図１７Ａ−１７Ｂの状態にピストンを維持することが送達注射器４５０内に真空を維持し、および、水晶体嚢の中への注射器４５０の初期挿入中に触角部分４０２が光学部分４００上にぴったりと過度にを可能にするということが理解される。
【００８０】
図１８Ｂにさらに見てとれるように、水晶体嚢の中に眼内インプラントを配置した後に、ピストン４５６は矢印４６４の方向に押され、および、眼内インプラントの触角部分４０２は注射器４５０から放出される。送達注射器４５０からの眼内インプラントの放出の後に、触角部分４０２の壁部分４１４、４１６がその当初の概ね円形の状態に戻る時に、触角部分４０２は光学部分４００から外方に延びる。
【００８１】
図１８Ｃに見てとれるように、眼内インプラントの放出と送達注射器４５０の取り出しとの後に、眼球からの水性流体が光学部分４００と触角部分４０２との間の区域の中に流れ込むことを可能にするために、好ましくはフック４６８で壁部分４１６に穿孔することによって、穴が壁部分４１６の中に作られる。図１８Ｄにさらに見てとれるように、フック４６８の取り外しの後に、触角部分４０２は水性流体４７０で満杯になって、その当初の形態に戻り、これによって、水晶体嚢内の、完全に展開した触角部分４０２と光学部分４００とを含む眼内インプラントの適正な状態を実現する。
【００８２】
次に、流体で満たされた送達注射器内に配置されている図１６Ａ−１６Ｃの注射可能な眼内インプラントの単純化された斜視図と断面図である図１９Ａと図１９Ｂと、図１９Ａおよび図１９Ｂの送達注射器構成内の図１６Ａ−１６Ｃの眼内インプラントを患者の眼球内に注射する４つの段階の単純化された断面図である、図２０Ａと図２０Ｂと図２０Ｃと図２０Ｄとを参照する。
【００８３】
図１９Ａ−１９Ｂに見てとれるように、眼球内への図１６Ａ−１６Ｃの眼内インプラントの注射の前に、触角部分４０２の外向き壁部分４１６が光学部分４００の外向き末端４９０上を引っ張られ、および、眼内インプラントが流体で満たされた送達注射器５００の中に挿入される。図１９Ａ−１９Ｂに見てとれるように、末端４９０上で壁部分４１６を引っ張ることが、触角部分４０２が光学部分４００上に重なる細長い概ね円筒形の状態に変形することを引き起こす。生体適合性流体５０４のような流体が、送達注射器５００のピストン５０６の前方かつ眼内インプラントの後方に位置させられている。
【００８４】
触角部分４０２が、送達注射器５００内への挿入の前に、生理的食塩水または空気のような任意の適切な生体適合性流体５１０によって、任意の適切な方法を使用して満たされることが可能であることが理解される。さらに、触角部分４０２内への流体５１０の注入が、眼球内への眼内インプラントの注射中にその眼内インプラントのための衝撃緩和を実現するということがさらに理解される。
【００８５】
図２０Ａは、送達注射器５００の先端の眼球の水晶体嚢内への初期挿入を示す。触角部分４０２を一時的に変形させることが注射器５００の内側において触角部分４０２が光学部分４００にぴったりと過度に可能にするということが理解される。
【００８６】
図２０Ｂにさらに見てとれるように、水晶体嚢内への送達注射器５００の配置の後に、眼内インプラントは注射器５００から外に押し出されて水晶体嚢の中に入れられる。図２０Ｂに見てとれるように、触角部分４０２は、触角部分４０２の壁部分４１４、４１６がその概ね円形の状態に戻る時に光学部分４００から外方に延びる。その次に、注射器５００は水晶体嚢から取り出される。
【００８７】
さらに、図２０Ｃに見てとれるように、水性流体が眼球から光学部分４００と触角部分４０２との間の区域内に流れ込んで生体適合性流体５１０と混合することを可能にするために、好ましくはフック５１８で壁部分４１６を穿孔することによって、壁４１６内に穴が作られる。あるいは、これに対する代替策として、送達注射器５００内への挿入の前に触角部分４０２が生体適合性流体５１０で満たされることがなく、および、壁部分４１６の穿孔が、眼球からの水性流体が光学部分４００と触角部分４０２との間の区域の中に流れ込むことを可能にする。
【００８８】
図２０Ｄに見てとれるように、フック５１８の取り外しの後に、触角部分４０２はその当初の形態に戻り、これによって、水晶体嚢内の、完全に展開した触角部分４０２と光学部分４００とを含む眼内インプラントの適正な状態を実現する。
【００８９】
次に、本発明のさらに別の好ましい実施形態にしたがって構成されており機能する眼内インプラントのための注射アセンブリの、単純化された分解組立図と単純化された斜視図である図２１Ａと図２１Ｂとを参照する。
【００９０】
図２１Ａと図２１Ｂとに見てとれるように、この注射アセンブリが、注射器６１０と協働するピストン６００を備えることが好ましい。注射器６１０は、縦軸線６２２に沿って配置されているハウジング要素６２０内に可動的に配置されている。眼内インプラント６３０が、注射器６１０と協働する後方位置決め要素６４０と前方位置決め要素６５０とを含む位置決めアセンブリによって、注射のために予め位置決めされている。圧縮ばね６６０が、前方位置決め要素６５０と、ハウジング６２０の前方末端に係合する眼内インプラント移動装置要素６７０との間に固定されている。
【００９１】
次に、図２１Ａと図２１Ｂの注射アセンブリの一部分を形成するピストン６００の単純化された斜視図と単純化された断面図である図２２と図２３とを参照する。ピストン６００が、射出成形によって単一のプラスチック部品で形成され、かつ、概ね円板状の係合表面６７４の形で終端する、軸線６２２に沿って配置されている後方軸方向部分６７２を含むことが好ましい。後方軸方向部分６７２の前方には、第１の円板状ピストン部分６７６が設けられている。前方軸方向部分６７８がピストン部分６７６の前方にかつ後方軸方向部分６７２と同軸に存在し、および、この前方軸方向部分６７６は第２の円筒形ピストン部分６８０の形で終端する。
【００９２】
次に、それぞれに注射器６１０の単純化された斜視図と単純化された断面図である図２４と図２５とを参照する。注射器６１０が、開いた後方末端６８４とこれとは反対側に位置した穴６８６とを有する概ね円筒形の後方部分６８２を含むことが好ましい。尖っておりかつ傾斜している前方端縁６９２を有する概ね円筒形の前方部分６９０の形で終端する先細部分６８８が、円筒形の後部部分６８２の前方に位置している。
【００９３】
前方部分６９０は、円筒形後方部分６８２の壁厚さと同じ壁厚さを有する後方部品６９４と、円筒形後方部分６８２の壁厚さよりもかなり小さい壁厚さを有しかつ反対側の穴６９８を有する形に形成されている前方部品６９６とを含む。後方部品６９４と前方部品６９６との中間には、先細リング部品７００が備えられている。先細リング部品７００の後方では、指状の係合突起７０２が後部部品６９４から延びる。
【００９４】
図２５に見てとれるように、前方部品６９６の外側表面に沿って肩部７０４が形成され、かつ、この肩部においては外側表面の外径が変化することが好ましい。肩部７０４の前方の外側表面の外径は、肩部７０４の後方の外側表面の外径よりも小さい。
【００９５】
次に、それぞれにハウジング要素６２０の単純化された斜視図と単純化された断面図である図２６と図２７とを参照する。ハウジング要素６２０が概ね円筒系の後部部分７１０を有し、かつ、この後部部分７１０が、開いた後方末端７１２と、それぞれに照合番号７１４、７１６によって示されている２対の互いに反対側に位置した軸方向に細長い側方スロットとを含むことが好ましい。側方スロット７１４が側方スロット７１６を基準として９０度に角度的にオフセットしていることが好ましい。側方スロット７１６は、指状の係合突起７０２をスライド自在に収容するように形状構成されている（図２４および図２５）。
【００９６】
概ね円筒形の後部部分７１０が弾性材料で形成されており、かつ、注射器６１０を中に挿入することを可能にするために直線７１８に沿って部分的に二叉状にされていることが好ましいということが指摘される。
【００９７】
概ね円筒形の前方部分７２４が、円筒形の後方部分７１０の前方に位置しており、かつ、肩部７２２を形成するリング部分７２０によってこの後方部分７１０に一体的に連結されており、および、この前方部分７２４は、開いた前方末端７２６を有し、かつ、複数の軸方向に細長いスロット７２８を有する形に形成されている。
【００９８】
次に、それぞれに後方位置決め要素６４０の単純化された斜視図と単純化された断面図である図２８Ａ、図２８Ｂ、および、図２９を参照する。後方位置決め要素６４０が、概ね三角形の部分７４６によって互いに連結されている内側の概ね円筒形の部分７４２と外側の概ね円筒形の部分７４４とを備えており、かつ、この概ね三角形の部分７４６が外側の概ね円筒形の部分７４４上の３つの係合場所７４８においてこの部分７４４に係合することが好ましい。
【００９９】
内側の概ね円筒形の部分７４２の内側表面は、傾斜した肩部７５６を画定する傾斜した前方端縁７５４を有する概ね円筒形の部分７５２の形で前方において終端する後ろ向きの先細部分７５０を含む。この傾斜肩部７５６の角位置が注射器６１０の端縁６９２の角位置と同一であることが好ましい（図２４および図２５）。
【０１００】
概ね円筒形の部分７５２の直径よりも小さい直径を有する概ね円筒形の部分７５８が傾斜肩部７５６の前方に位置している。先細部分７６０が概ね円筒形の部分７５８の前方に配置されており、この先細部分７６０は概ね三角形の部分７４６よりもわずかに前方に突き出している。潤滑穴（ｌｕｂｒｉｃａｔｉｏｎ  ｈｏｌｅ）７６１が円筒形部分７５８と先細部分７６０との中を斜めに延びる。
【０１０１】
方位角位置合わせ穴７６２が、１つの係合場所７４８に隣接して概ね三角形の部分７４６の中に形成されていることが好ましい。
【０１０２】
軸線６２２に対して平行に延びる複数（典型的には３つ）のスナップ嵌め係合要素７６４が、各々の係合場所７４８に配置されている。スナップ嵌め係合要素７６４の各々が、図２９に見てとれるように、外側の概ね円筒形の部分７４４の外側表面を基準としてわずかに内方に凹んでいる滑らかな半径方向に外向きである表面７６６を有することが好ましい。スナップ嵌め係合要素７６４の各々は、半径方向に内向きの先細表面７７０を有する半径方向に内方に方向付けられている突起７６８の形で終端する。半径方向に内方に方向付けられている突起７７２が、突起７６８の後方に位置し、かつ、この突起７６８から軸方向に間隔を置かれており、および、この突起７７２は突起７６８よりも大きな度合いに半径方向に内向きに延び、および、突起７６８と共に切り下げ凹み（ｕｎｄｅｒｃｕｔ  ｒｅｃｅｓｓ）７７４を画定する。あるいは、この代わりに、スナップ嵌め係合要素の突起７６８と突起７７２は、半径方向に外方に方向付けられていてもよい。
【０１０３】
次に、それぞれに前方位置決め要素６５０の単純化された斜視図と単純化された断面図である図３０Ａ、図３０Ｂ、および、図３１を参照する。この前方位置決め要素６５０が、概ねリング形の部分７８６によって互いに連結されている内側の概ね円筒形の部分７８２と外側の概ね円筒形の部分７８４とを備えており、かつ、この概ねリング形の部分７８６が外側の概ね円筒形の部分７８４を越えて半径方向に外方に延びて、後方位置決め要素６４０の凹み７７４とのスナップ嵌め係合のために形状構成されているスナップ嵌め係合フランジ７８８を画定する（図２８Ａ、図２８Ｂ、図２９）。圧縮ばね６６０のためのばね座が、概ねリング形の部分７８６の前向き表面７８９によって、内側の概ね円筒形の部分７８２と外側の概ね円筒形の部分７８４と間に画定されている。
【０１０４】
内側の概ね円筒形の部分７８２の内側表面は、後方において概ね円筒形の部分７９２の形で終端する前向き先細部分７９０を含む。概ね円筒形の部分７９２の後方端縁７９４が先細の外側表面７９６を有する。方位角位置合わせピン７９８がリング形部分７８６の後方に延び、および、後方位置決め要素６４０の方位角位置合わせ穴７６２に係合するように形状構成されている（図２８Ａ、図２８Ｂ、および、図２９）。
【０１０５】
後ろ向きの触角位置決め突起８００も、リング形部分７８６から後方に延びる。
【０１０６】
次に、それぞれに注射可能な眼内インプラント６３０の単純化された斜視図と単純化された断面図である図３２Ａ、図３２Ｂ、および、図３３を参照する。眼内インプラント６３０は、任意の適切な光学的設計にしたがって構成されておりかつ機能し、および、本明細書に開示内容が引例として組み入れられている米国特許第５，３９１，２０２号、同第５，３５４，３３５号、同第５，８１４，１０３号、同第５，８７６，４４２号、同第５，９２８，２８３号、同第６，００７，５７９号、同第６，０６６，１７１号、同第６，５６９，１９９号、同第６，５６９，０２６号、および、米国公開出願ＵＳＳＮ  １０／３４２，１６０、および、同１０／３２１，７９３に説明されている本出願人／譲受人の眼内インプラントの１つまたは複数の教示内容を含むことが好ましい。
【０１０７】
注射可能な眼内インプラント６３０が、光学軸８１４を有する１つまたは複数のレンズ８１２を含む概ね円筒形の密封カプセル８１０を含むことが好ましい。触角８１６がカプセル８１０から概ね半径方向に外方に延び、および、後方かつ内方に方向付けられている先細部分８２０の形で終端する概ね弾性である後方に傾斜した部分８１８を含むことが好ましい。
【０１０８】
触角８１６が、その触角８１６を通る光通過のレベルがカプセル８１０を通る光通過のレベルと同じであることを可能にする材料で形成されていることが好ましいということが理解される。
【０１０９】
次に、それぞれに眼内インプラント移動装置要素６７０の単純化された斜視図と単純化された断面図である図３４Ａ、図３４Ｂ、および、図３５を参照する。この眼内インプラント移動装置要素６７０が、概ね円板形の部分８２６によって互いに連結されている内側の概ね円筒形の部分８２２と外側の概ね円筒形の部分８４２とを備えていることが好ましい。中央シャフト８２８が軸線６２２に沿って概ね円板形の部分８２６から後方に延びる。圧縮ばね６６０のためのばね座が、概ね円板形の部分８２６の後ろ向き表面８３０によって、シャフト８２８と内側の概ね円筒形の部分８２２との間に画定されている。
【０１１０】
次に、貯蔵状態における図２１Ａおよび図２１Ｂの注射アセンブリの単純化された斜視図および断面図である図３６と図３７とを参照する。眼内インプラント装着サブアセンブリ９００がハウジング６２０の前方部分７２４内に配置されており、および、この眼内インプラント装着サブアセンブリ９００は、眼球内への注射のための所望の位置に眼内インプラント６３０を協働して保持する後方位置決め要素６４０と前方位置決め要素６５０とを含む。
【０１１１】
図３７の拡大部分に見てとれるように、後方位置決め要素６４０のスナップ嵌め係合要素７６４が前方位置決め要素６５０のフランジ７８８に固着状に係合する。フランジ７８８は、後方位置決め要素６４０の突起７６８、７７２によって、後方位置決め要素６４０の切り下げ凹み７７４内に固着状に係合する。
【０１１２】
後方位置決め要素６４０と前方位置決め要素６５０の相対的な回転が、方位角位置合わせ穴７６２との方位角位置合わせピン７９８の係合によって防止される。
【０１１３】
眼内インプラント６３０の触角８１６が、それぞれの前方位置決め要素６５０と後方位置決め要素６４０との間に保持されている。図に見てとれるように、傾斜部分８１８の半径方向に内向きの末端９０２が前方位置決め要素６５０の後方端縁７９４の軸方向に後方に位置し、および、傾斜部分８１８の後ろ向きの中間部品が後方位置決め要素６４０の前方端縁９０４に突き当たる形で位置している。
【０１１４】
眼内インプラント６３０のカプセル８１０が前方位置決め要素６５０の円筒形部分７９２内に位置しており、および、後方位置決め要素６４０の先細部分７６０の後方に延びる。眼内インプラント６３０の所望の方位角位置が、触角位置決め突起８００の間の触角８１６の配置によって維持される。
【０１１５】
後方位置決め要素６４０の外側の概ね円筒形の部分７４４の後ろ向き端縁９０８が、圧縮ばね６６０によってハウジング要素６２０の肩部７２２に押し付けられており、および、この圧縮ばね６６０の後ろ向き端縁が、前方位置決め要素６５０のリング形部分７８６の前向き表面７８９に対して押し付けられて固定されている。ばね６６０の前向き末端が、眼内インプラント移動装置要素６７０の円板形部分８２６の後ろ向き表面８３０に対して押し付けられて固定されており、および、この眼内インプラント移動装置要素６７０は、眼内インプラント移動装置要素６７０の外側の概ね円筒形の部分８２４とハウジング要素６２０の円筒形部分７２４の外側表面との係合によって、ハウジング要素６２０の円筒形部分７２４にねじ込まれることが好ましい。
【０１１６】
注射器６１０がハウジング要素６２０の概ね円筒形の後部部分７１０内に配置されており、および、指状係合突起７０２が側方スロット７１６内にスライド自在に収容されるように構成されている。図３６と図３７とに示されている貯蔵状態では、この指状係合突起７０２は完全に引っ込められており、および、したがって、側方スロット７１６の後方端縁に押し当たる形で位置している。図に見てとれるように、ピストン６００の係合表面６７４はハウジング要素６２０の後方末端７１２に係合する。
【０１１７】
図４８Ａ−４８Ｄを参照して後述されるように、眼内インプラント６３０が注射器６１０から眼球内に注射される時に触角８１６の１つが注射器６１０の尖った傾斜端縁６９２の短い方の部分と位置合わせされるように、後方位置決め要素６４０の傾斜前方端縁７５４が、注射器６１０の尖った傾斜端縁６９２と、方位角位置合わせ穴７６２と、方位角位置合わせピン７９８と共に、眼内インプラント６３０と後方位置決め要素６４０と前方位置決め要素６５０と注射器６１０との間の予め決められた方位角整合を実現する働きをするということが本発明の特有の特徴である。
【０１１８】
この段階では、ユーザが、潤滑穴７６１を経由して後方位置決め要素６４０の中に粘弾性の潤滑剤を供給することが好ましい。この粘弾性潤滑剤が、図３８−４８Ｄを参照して後述される注射プロセス中に眼内インプラント６３０の外側表面を潤滑することが好ましい。
【０１１９】
次に、眼内インプラントの前装填状態（ｐｒｅ−ｌｏａｄｉｎｇ  ｏｒｉｅｎｔａｔｉｏｎ）における図３６と図３７の注射アセンブリの単純化された斜視図と断面図である、図３８と図３９とを参照する。注射器６１０の指状係合突起７０２を軸線６２２に沿って前方に押し進め、これによってハウジング要素６２０とピストン６００とを基準として注射器６１０を前方に移動させるユーザの操作によって、図３６と図３７に見てとれるその貯蔵状態における注射アセンブリが、図３８と図３９の前装填状態に移行させられる。
【０１２０】
軸線６２２に沿った注射器６１０の前方移動が、後方位置決め要素６４０の傾斜肩部７５６に対する注射器６１０の尖った傾斜端縁６９２の係合によって停止させられることが好ましい。
【０１２１】
次に、眼内インプラントの装填状態における図３８と図３９の注射アセンブリの単純化された斜視図と断面図である図４０と図４１とを参照する。図３８と図３９とに見てとれるように、注射器６１０の指状係合突起７０２を軸線６２２に沿って前方に押し進め、これによってハウジング要素６２０とピストン６００とを基準として注射器６１０を前方に移動させるユーザの連続的な操作によって、眼内インプラントの前装填状態にある注射アセンブリは、図４０と図４１の眼内インプラント装填状態に移行させられる。図示されているように、指状係合突起７０２が側方スロット７１６の前方端縁に突き当たっていることが好ましい。
【０１２２】
注射器６１０の尖った傾斜端縁６９２と後方位置決め要素６４０の傾斜肩部７５６との間の係合によって、注射器６１０の前方移動が、ハウジング要素６２０に対して相対的な後方位置決め要素６４０の前方移動を結果的に生じさせる。眼内インプラント６３０を予め決められた位置に共に支持する後方位置決め要素６４０と前方位置決め要素６５０との間の固着係合が、後方位置決め要素６４０によって、圧縮ばね６６０の圧迫に逆らって、ハウジング要素６２０を基準として相対的に、前方位置決め要素６５０と眼内インプラント６３０とが軸線６２２に沿って前方移動させられることを引き起こす。
【０１２３】
前方位置決め要素６５０と眼内インプラント６３０とを伴った、後方位置決め要素６４０の軸線６２２に沿った前方移動は、眼内インプラント移動装置要素６７０のシャフト８２８が眼内インプラント６３０のカプセル８１０の前向き端縁９１０に係合することを引き起こす。シャフト８２８が、シャフト８２８がカプセル８１０に係合する時にカプセル８１０を傷つけないキャップ部分によって覆われていることが好ましい。
【０１２４】
眼内インプラント移動装置要素６７０に対する相対的な前方位置決め要素６５０と後方位置決め要素６４０と眼内インプラント６３０との軸線６２２に沿った連続的な前方移動が、シャフト８２８によって眼内インプラント６３０が前方位置決め要素６５０と後方位置決め要素６４０とを基準として相対的に後方に移動させられて、注射器６１０の前方部分６９０の前方部品６９６の内側に送り込まれることを結果的に引き起こす。
【０１２５】
図４１の拡大部分に特に明確に見てとれるように、眼内インプラント６３０は、触角８１６がカプセル８１０上に折り重ねられてそのカプセルの前方に延びるように、前方部分６９０の前方部品６９６の内側に配置されている。
【０１２６】
眼内インプラント６３０の触角８１６の機構的な完全性が、サブアセンブリ９００内の触角８１６の特有の形状構成によって、注射器６１０内への眼内インプラント６３０の装填中に維持されるということが、本発明の特有の特徴である。シャフト８２８によってカプセル８１０が前方位置決め要素６５０と後方位置決め要素６４０とを基準として軸線６２２に沿って後方に押される時に、触角８１６の傾斜部分８１８（図３２Ａ−３３）が、前方位置決め要素６５０の先細の外側表面７９６と後方位置決め要素６４０の先細部分７６０とに沿って、かつ、これらの間をスライドし、および、このようにしてカプセル８１０に沿って前方に延びる。
【０１２７】
次に、部分的な注射器引き込み状態にある図４０と図４１の注射アセンブリの単純化された斜視図と断面図である図４２と図４３とを参照する。眼内インプラント装填状態にある注射アセンブリは、図４０と図４１とに見てとれるように、注射器６１０の指状係合突起７０２を釈放するユーザによって図４２と図４３の部分的な注射器引き込み状態に移行させられる。指状係合突起７０２の釈放時には、注射器６１０は、ピストン６００と後方位置決め要素６４０と前方位置決め要素６５０と共に、完全に弛緩した状態に戻ることが好ましい圧縮ばね６６０によって、ハウジング要素６２０を基準として相対的に軸線６２２に沿って後方に移動させられる。
【０１２８】
前方位置決め要素６５０のリング形部分７８６の前向き表面７８９との圧縮ばね６６０の係合が、ハウジング要素６２０に対する相対的な後方位置決め要素６４０の後方移動を生じさせ、および、後方位置決め要素６４０を後方に移動させる。前方位置決め要素６５０と後方位置決め要素６４０とが、図３６と図３７とに示されているそのそれぞれの貯蔵状態位置に戻ることが好ましい。後方位置決め要素６４０の傾斜肩部７５６と注射器６１０の尖った傾斜端縁６９２との間の係合によって、後方位置決め要素６４０の後方移動が、ピストン６００と、注射器６１０の前方部分６９０の前方部品６９６の内側に位置している眼内インプラント６３０とを伴った、注射器６１０の後方移動を結果的に生じさせる。
【０１２９】
次に、完全な注射器引き込み状態にある図４２と図４３の注射アセンブリの単純化された斜視図と断面図である図４４と図４５とを参照する。図４２と図４３とに見てとれる部分的な注射器引き込み状態にある注射アセンブリが、注射器６１０の指状係合突起７０２を軸線６２２に沿ってハウジング要素６２０を基準として相対的に前方に押し進めて後方位置決め要素６４０の傾斜肩部７５６から注射器６１０の尖った傾斜端縁６９２を分離させるユーザによって、図４４と図４５の完全引き込み状態に移行させられる。
【０１３０】
図４４と図４５とに示されている状態では、注射器６１０の指状係合突起７０２は完全に引き込まれており、および、したがって側方スロット７１６の後方端縁に対して突き当たっている。
【０１３１】
この段階では、ユーザは、典型的には、指状係合突起７０２を押し続け、これによって直線７１８に沿ってハウジング６２０の円筒形部分７１０の二叉状部品を二叉に広げ、および、ピストン６００と眼内インプラント６３０とを収容する注射器６１０をその二叉状部分から取り出す。
【０１３２】
次に、使用の準備が整った状態にある図２１Ａと図２１Ｂの注射器の単純化された斜視図と断面図である、図４６と図４７を参照する。図４６と図４７とに見てとれるように、眼内インプラント６３０は注射器６１０の前方部分６９０の前方部品６９６の内側に残留する。第２のピストン部分６８０の前方表面９１２がカプセル８１０の後方表面に係合する。
【０１３３】
次に、注射器６１０の前方部品６９６内に配置された眼内インプラント６３０の患者の眼球内への注射の４つの段階の単純化された断面図である、図４８Ａと図４８Ｂと図４８Ｃと図４８Ｄとを参照する。図４８Ａは、眼球の水晶体嚢の中への注射器６１０の尖った傾斜端縁６９２の初期挿入を示す。
【０１３４】
図４８Ｂは、注射器６１０の尖った傾斜端縁６９２の短い方の側部に隣接して配置されている触角８１６の１つが水晶体嚢の内側で展開するように、注射器６１０の外に押し出されて水晶体嚢の中に押し込まれている眼内インプラントを示す。図４８Ｃは、水晶体嚢内での第２の触角８１６の展開を示し、および、図４８Ｄは、水晶体嚢内における完全に展開した触角８１６を含む眼内インプラントの適正な状態を示す。
【０１３５】
特に明瞭に図４８Ａ−４８Ｃに見てとれるように、ピストン６００は眼内インプラント６３０をその軸線８１４に沿って押し動かす。
【０１３６】
眼内インプラント６３０と内皮との間の係合を可能な限り最少化するためにカプセル８１０を角膜から後方に引き離すように、触角８１６が形状構成されておりかつ水晶体嚢を基準として相対的に配置されているということが、本発明の特有の特徴である。
【０１３７】
本発明が、上記において示され説明されているものに限定されていないということが当業者によって理解されるだろう。むしろ、本発明の範囲は、上述した特徴の組合せと二次的な組合せの両方と、従来技術では存在しておらず、かつ、添付図面と組み合わされた上述の説明を理解することによって当業者によって見出される、本発明の変型と変更とを含む。
【図面の簡単な説明】
【０１３８】
【図１Ａ】図１Ａは、本発明の好ましい実施形態にしたがって構成されておりかつ機能する注射可能な眼内インプラントの単純化された分解組立斜視図である。
【図１Ｂ】図１Ｂは、本発明の好ましい実施形態にしたがって構成されておりかつ機能する注射可能な眼内インプラントの単純化された組立斜視図である。
【図１Ｃ】図１Ｃは、図１Ａと図１Ｂの注射可能な眼内インプラントの単純化された分解組立側面図である。
【図１Ｄ】図１Ｄは、図１Ａと図１Ｂの注射可能な眼内インプラントの単純化された組立側面図である。
【図２】図２は、流体で満たされた皮下送達注射器内に配置されている図１Ａ−１Ｄの注射可能な眼内インプラントの単純化された斜視図である。
【図３】図３は、流体で満たされた皮下送達注射器の中に配置されている図１Ａ−１Ｄの注射可能な眼内インプラントの単純化された断面図である。
【図４Ａ】図４Ａは、患者の眼球内への図２と図３の送達注射器構成内の図１Ａ−１Ｄの眼内インプラントの注射の４つの段階の中の１つの段階の単純化された断面図である。
【図４Ｂ】図４Ｂは、患者の眼球内への図２と図３の送達注射器構成内の図１Ａ−１Ｄの眼内インプラントの注射の４つの段階の中の１つの段階の単純化された断面図である。
【図４Ｃ】図４Ｃは、患者の眼球内への図２と図３の送達注射器構成内の図１Ａ−１Ｄの眼内インプラントの注射の４つの段階の中の１つの段階の単純化された断面図である。
【図４Ｄ】図４Ｄは、患者の眼球内への図２と図３の送達注射器構成内の図１Ａ−１Ｄの眼内インプラントの注射の４つの段階の中の１つの段階の単純化された断面図である。
【図５】図５は、流体で満たされていない特別に設計された皮下送達注射器の中に配置されている図１Ａ−１Ｄの注射可能な眼内インプラントの単純化された斜視図である。
【図６】図６は、流体で満たされていない特別に設計された皮下送達注射器の中に配置されている図１Ａ−１Ｄの注射可能な眼内インプラントの単純化された断面図である。
【図７Ａ】図７Ａは、患者の眼球内への図５と図６の送達注射器構成内の図１Ａ−１Ｄの眼内インプラントの注射の４つの段階の中の１つの段階の単純化された断面図である。
【図７Ｂ】図７Ｂは、患者の眼球内への図５と図６の送達注射器構成内の図１Ａ−１Ｄの眼内インプラントの注射の４つの段階の中の１つの段階の単純化された断面図である。
【図７Ｃ】図７Ｃは、患者の眼球内への図５と図６の送達注射器構成内の図１Ａ−１Ｄの眼内インプラントの注射の４つの段階の中の１つの段階の単純化された断面図である。
【図７Ｄ】図７Ｄは、患者の眼球内への図５と図６の送達注射器構成内の図１Ａ−１Ｄの眼内インプラントの注射の４つの段階の中の１つの段階の単純化された断面図である。
【図８Ａ】図８Ａは、本発明の別の好ましい実施形態にしたがって構成されておりかつ機能する注射可能な眼内インプラントの単純化された分解組立斜視図である。
【図８Ｂ】図８Ｂは、本発明の好ましい実施形態にしたがって構成されておりかつ機能する注射可能な眼内インプラントの単純化された組立斜視図である。
【図８Ｃ】図８Ｃは、図８Ａと図８Ｂの注射可能な眼内インプラントの分解組立側面図である。
【図８Ｄ】図８Ｄは、図８Ａと図８Ｂの注射可能な眼内インプラントの組立側面図である。
【図９】図９は、皮下送達注射器内に配置されている図８Ａ−８Ｄの注射可能な眼内インプラントの単純化された斜視図である。
【図１０】図１０は、皮下送達注射器内に配置されている図８Ａ−８Ｄの注射可能な眼内インプラントの単純化された断面図である。
【図１１Ａ】図１１Ａは、患者の眼球内への図９と図１０の送達注射器構成内の図８Ａ−８Ｄの眼内インプラントの注射の４つの段階の中の１つの段階の単純化された断面図である。
【図１１Ｂ】図１１Ｂは、患者の眼球内への図９と図１０の送達注射器構成内の図８Ａ−８Ｄの眼内インプラントの注射の４つの段階の中の１つの段階の単純化された断面図である。
【図１１Ｃ】図１１Ｃは、患者の眼球内への図９と図１０の送達注射器構成内の図８Ａ−８Ｄの眼内インプラントの注射の４つの段階の中の１つの段階の単純化された断面図である。
【図１１Ｄ】図１１Ｄは、患者の眼球内への図９と図１０の送達注射器構成内の図８Ａ−８Ｄの眼内インプラントの注射の４つの段階の中の１つの段階の単純化された断面図である。
【図１２Ａ】図１２Ａは、本発明の別の好ましい実施形態による、患者の眼球内への図９と図１０の送達注射器構成内の図８Ａ−８Ｄの眼内インプラントの注射の４つの段階の中の１つの段階の単純化された断面図である。
【図１２Ｂ】図１２Ｂは、本発明の別の好ましい実施形態による、患者の眼球内への図９と図１０の送達注射器構成内の図８Ａ−８Ｄの眼内インプラントの注射の４つの段階の中の１つの段階の単純化された断面図である。
【図１２Ｃ】図１２Ｃは、本発明の別の好ましい実施形態による、患者の眼球内への図９と図１０の送達注射器構成内の図８Ａ−８Ｄの眼内インプラントの注射の４つの段階の中の１つの段階の単純化された断面図である。
【図１２Ｄ】図１２Ｄは、本発明の別の好ましい実施形態による、患者の眼球内への図９と図１０の送達注射器構成内の図８Ａ−８Ｄの眼内インプラントの注射の４つの段階の中の１つの段階の単純化された断面図である。
【図１３Ａ】図１３Ａは、本発明のさらに別の好ましい実施形態にしたがって構成されておりかつ機能する注射可能な眼内インプラントの単純化された分解組立斜視図である。
【図１３Ｂ】図１３Ｂは、本発明のさらに好ましい実施形態によって構成されておりかつ機能する眼内インプラントの単純化された組立斜視図である。
【図１３Ｃ】図１３Ｃは、図１３Ａと図１３Ｂの注射可能な眼内インプラントの単純化された組立側面図である。
【図１４Ａ】図１４Ａは、送達注射器内に配置されている図１３Ａ−１３Ｃの注射可能な眼内インプラントの単純化された斜視図である。
【図１４Ｂ】図１４Ｂは、送達注射器内に配置されている図１３Ａ−１３Ｃの注射可能な眼内インプラントの単純化された断面図である。
【図１５Ａ】図１５Ａは、患者の眼球内への図１４Ａと図１４Ｂの送達注射器構成内の図１３Ａ−１３Ｃの眼内インプラントの注射の４つの段階の中の１つの段階の単純化された断面図である。
【図１５Ｂ】図１５Ｂは、患者の眼球内への図１４Ａと図１４Ｂの送達注射器構成内の図１３Ａ−１３Ｃの眼内インプラントの注射の４つの段階の中の１つの段階の単純化された断面図である。
【図１５Ｃ】図１５Ｃは、患者の眼球内への図１４Ａと図１４Ｂの送達注射器構成内の図１３Ａ−１３Ｃの眼内インプラントの注射の４つの段階の中の１つの段階の単純化された断面図である。
【図１５Ｄ】図１５Ｄは、患者の眼球内への図１４Ａと図１４Ｂの送達注射器構成内の図１３Ａ−１３Ｃの眼内インプラントの注射の４つの段階の中の１つの段階の単純化された断面図である。
【図１６Ａ】図１６Ａは、本発明のさらに別の好ましい実施形態にしたがって構成されておりかつ機能する注射可能な眼内インプラントの単純化された分解組立斜視図である。
【図１６Ｂ】図１６Ｂは、本発明のさらに好ましい実施形態によって構成されておりかつ機能する眼内インプラントの単純化された組立斜視図である。
【図１６Ｃ】図１６Ｃは、図１６Ａと図１６Ｂの注射可能な眼内インプラントの単純化された組立側面図である。
【図１７Ａ】図１７Ａは、送達注射器内に配置されている図１６Ａ−１６Ｃの注射可能な眼内インプラントの単純化された斜視図である。
【図１７Ｂ】図１７Ｂは、送達注射器内に配置されている図１６Ａ−１６Ｃの注射可能な眼内インプラントの単純化された断面図である。
【図１８Ａ】図１８Ａは、患者の眼球内への図１７Ａと図１７Ｂの送達注射器構成内の図１６Ａ−１６Ｃの眼内インプラントの注射の４つの段階の中の１つの段階の単純化された断面図である。
【図１８Ｂ】図１８Ｂは、患者の眼球内への図１７Ａと図１７Ｂの送達注射器構成内の図１６Ａ−１６Ｃの眼内インプラントの注射の４つの段階の中の１つの段階の単純化された断面図である。
【図１８Ｃ】図１８Ｃは、患者の眼球内への図１７Ａと図１７Ｂの送達注射器構成内の図１６Ａ−１６Ｃの眼内インプラントの注射の４つの段階の中の１つの段階の単純化された断面図である。
【図１８Ｄ】図１８Ｄは、患者の眼球内への図１７Ａと図１７Ｂの送達注射器構成内の図１６Ａ−１６Ｃの眼内インプラントの注射の４つの段階の中の１つの段階の単純化された断面図である。
【図１９Ａ】図１９Ａは、送達注射器内に配置されている図１６Ａ−１６Ｃの注射可能な眼内インプラントの単純化された斜視図である。
【図１９Ｂ】図１９Ｂは、送達注射器内に配置されている図１６Ａ−１６Ｃの注射可能な眼内インプラントの単純化された断面図である。
【図２０Ａ】図２０Ａは、患者の眼球内への図１９Ａと図１９Ｂの送達注射器構成内の図１６Ａ−１６Ｃの眼内インプラントの注射の４つの段階の中の１つの段階の単純化された断面図である。
【図２０Ｂ】図２０Ｂは、患者の眼球内への図１９Ａと図１９Ｂの送達注射器構成内の図１６Ａ−１６Ｃの眼内インプラントの注射の４つの段階の中の１つの段階の単純化された断面図である。
【図２０Ｃ】図２０Ｃは、患者の眼球内への図１９Ａと図１９Ｂの送達注射器構成内の図１６Ａ−１６Ｃの眼内インプラントの注射の４つの段階の中の１つの段階の単純化された断面図である。
【図２０Ｄ】図２０Ｄは、患者の眼球内への図１９Ａと図１９Ｂの送達注射器構成内の図１６Ａ−１６Ｃの眼内インプラントの注射の４つの段階の中の１つの段階の単純化された断面図である。
【図２１Ａ】図２１Ａは、本発明のさらに別の好ましい実施形態にしたがって構成されておりかつ機能する、眼内インプラントのための注射アセンブリの単純化された分解組立図である。
【図２１Ｂ】図２１Ｂは、本発明のさらに好ましい実施形態にしたがって構成されておりかつ機能する、眼内インプラントのための注射アセンブリの単純化された斜視図である。
【図２２】図２２は、図２１Ａと図２１Ｂの注射アセンブリのピストン形成部品の単純化された斜視図である。
【図２３】図２３は、図２２の切断線ＸＸＩＩＩ−ＸＸＩＩＩに沿った、図２２のピストンの単純化された断面図である。
【図２４】図２４は、図２１Ａと図２１Ｂの注射アセンブリの注射器形成部品の単純化された斜視図である。
【図２５】図２５は、図２４の切断線ＸＸＶ−ＸＸＶに沿った、図２４の注射器の単純化された断面図である。
【図２６】図２６は、図２１Ａと図２１Ｂの注射アセンブリのハウジング要素形成部品の単純化された斜視図である。
【図２７】図２７は、図２６の切断線ＸＸＶＩＩ−ＸＸＶＩＩに沿った、図２６のハウジング要素の単純化された断面図である。
【図２８Ａ】図２８Ａは、図２１Ａと図２１Ｂの注射アセンブリの後方位置決め要素形成部品の単純化された斜視図である。
【図２８Ｂ】図２８Ｂは、図２１Ａと図２１Ｂの注射アセンブリの後方位置決め要素形成部品の単純化された斜視図である。
【図２９】図２９は、図２８Ａの切断線ＸＸＩＸ−ＸＸＩＸに沿った、図２８Ａと図２８Ｂの後方位置決め要素の単純化された断面図である。
【図３０Ａ】図３０Ａは、図２１Ａと図２１Ｂの注射アセンブリの前方位置決め要素形成部品の単純化された斜視図である。
【図３０Ｂ】図３０Ｂは、図２１Ａと図２１Ｂの注射アセンブリの前方位置決め要素形成部品の単純化された斜視図である。
【図３１】図３１は、図３０Ａの切断線ＸＸＸＩ−ＸＸＸＩに沿った、図３０Ａと図３０Ｂの前方位置決め要素の単純化された断面図である。
【図３２Ａ】図３２Ａは、図２１Ａと図２１Ｂの注射アセンブリの注射可能な眼内インプラント形成部品の単純化された斜視図である。
【図３２Ｂ】図３２Ｂは、図２１Ａと図２１Ｂの注射アセンブリの注射可能な眼内インプラント形成部品の単純化された斜視図である。
【図３３】図３３は、図３２Ａの切断線ＸＸＸＩＩＩ−ＸＸＸＩＩＩに沿った、図３２Ａと図３２Ｂの注射可能な眼内インプラントの単純化された断面図である。
【図３４Ａ】図３４Ａは、図２１Ａと図２１Ｂの注射アセンブリの眼内インプラント移動装置要素形成部品の単純化された斜視図である。
【図３４Ｂ】図３４Ｂは、図２１Ａと図２１Ｂの注射アセンブリの眼内インプラント移動装置要素形成部品の単純化された斜視図である。
【図３５】図３５は、図３４Ａの切断線ＸＸＸＶ−ＸＸＸＶに沿った、図３４Ａと図３４Ｂの眼内インプラント移動装置要素の単純化された断面図である。
【図３６】図３６は、貯蔵状態における図２１Ａと図２１Ｂの注射アセンブリの単純化された斜視図である。
【図３７】図３７は、図３６の切断線ＸＸＸＶＩＩ−ＸＸＸＶＩＩに沿った、図３６の注射アセンブリの単純化された断面図である。
【図３８】図３８は、眼内インプラントの前装填状態における図３６と図３７の注射アセンブリの単純化された斜視図である。
【図３９】図３９は、図３８の切断線ＸＸＸＩＸ−ＸＸＸＩＸに沿った、図３８の注射アセンブリの単純化された断面図である。
【図４０】図４０は、眼内インプラントの装填状態における図３８と図３９の注射アセンブリの単純化された斜視図である。
【図４１】図４１は、図４０の切断線ＸＬＩ−ＸＬＩに沿った、図４０の注射アセンブリの単純化された断面図である。
【図４２】図４２は、部分的注射器引き込み状態における図４０と図４１の注射アセンブリの単純化された斜視図である。
【図４３】図４３は、図４２の切断線ＸＬＩＩＩ−ＸＬＩＩＩに沿った、図４２の注射アセンブリの単純化された断面図である。
【図４４】図４４は、完全注射器引き込み状態における図４２と図４３の注射アセンブリの単純化された斜視図である。
【図４５】図４５は、図４４の切断線ＸＬＶ−ＸＬＶに沿った、図４４の注射アセンブリの単純化された断面図である。
【図４６】図４６は、使用の準備が整った状態における図２１Ａと図２１Ｂの注射器の単純化された斜視図である。
【図４７】図４７は、図４６の切断線ＸＬＶＩＩ−ＸＬＶＩＩに沿った、図４６の注射器の単純化された断面図である。
【図４８Ａ】図４８Ａは、患者の眼球内への図３２Ａと図３２Ｂと図３３の注射可能な眼内インプラントの注射の４つの段階の中の１つの段階の単純化された断面図である。
【図４８Ｂ】図４８Ｂは、患者の眼球内への図３２Ａと図３２Ｂと図３３の注射可能な眼内インプラントの注射の４つの段階の中の１つの段階の単純化された断面図である。
【図４８Ｃ】図４８Ｃは、患者の眼球内への図３２Ａと図３２Ｂと図３３の注射可能な眼内インプラントの注射の４つの段階の中の１つの段階の単純化された断面図である。
【図４８Ｄ】図４８Ｄは、患者の眼球内への図３２Ａと図３２Ｂと図３３の注射可能な眼内インプラントの注射の４つの段階の中の１つの段階の単純化された断面図である。
【図１Ａ】
2009502305.tif 000003
【図１Ｂ】
2009502305.tif 000004
【図１Ｃ】
2009502305.tif 000005
【図１Ｄ】
2009502305.tif 000006
【図２】
2009502305.tif 000007
【図３】
2009502305.tif 000008
【図４Ａ】
2009502305.tif 000009
【図４Ｂ】
2009502305.tif 000010
【図４Ｃ】
2009502305.tif 000011
【図４Ｄ】
2009502305.tif 000012
【図５】
2009502305.tif 000013
【図６】
2009502305.tif 000014
【図７Ａ】
2009502305.tif 000015
【図７Ｂ】
2009502305.tif 000016
【図７Ｃ】
2009502305.tif 000017
【図７Ｄ】
2009502305.tif 000018
【図８Ａ】
2009502305.tif 000019
【図８Ｂ】
2009502305.tif 000020
【図８Ｃ】
2009502305.tif 000021
【図８Ｄ】
2009502305.tif 000022
【図９】
2009502305.tif 000023
【図１０】
2009502305.tif 000024
【図１１Ａ】
2009502305.tif 000025
【図１１Ｂ】
2009502305.tif 000026
【図１１Ｃ】
2009502305.tif 000027
【図１１Ｄ】
2009502305.tif 000028
【図１２Ａ】
2009502305.tif 000029
【図１２Ｂ】
2009502305.tif 000030
【図１２Ｃ】
2009502305.tif 000031
【図１２Ｄ】
2009502305.tif 000032
【図１３Ａ】
2009502305.tif 000033
【図１３Ｂ】
2009502305.tif 000034
【図１３Ｃ】
2009502305.tif 000035
【図１４Ａ】
2009502305.tif 000036
【図１４Ｂ】
2009502305.tif 000037
【図１５Ａ】
2009502305.tif 000038
【図１５Ｂ】
2009502305.tif 000039
【図１５Ｃ】
2009502305.tif 000040
【図１５Ｄ】
2009502305.tif 000041
【図１６Ａ】
2009502305.tif 000042
【図１６Ｂ】
2009502305.tif 000043
【図１６Ｃ】
2009502305.tif 000044
【図１７Ａ】
2009502305.tif 000045
【図１７Ｂ】
2009502305.tif 000046
【図１８Ａ】
2009502305.tif 000047
【図１８Ｂ】
2009502305.tif 000048
【図１８Ｃ】
2009502305.tif 000049
【図１８Ｄ】
2009502305.tif 000050
【図１９Ａ】
2009502305.tif 000051
【図１９Ｂ】
2009502305.tif 000052
【図２０Ａ】
2009502305.tif 000053
【図２０Ｂ】
2009502305.tif 000054
【図２０Ｃ】
2009502305.tif 000055
【図２０Ｄ】
2009502305.tif 000056
【図２１Ａ】
2009502305.tif 000057
【図２１Ｂ】
2009502305.tif 000058
【図２２】
2009502305.tif 000059
【図２３】
2009502305.tif 000060
【図２４】
2009502305.tif 000061
【図２５】
2009502305.tif 000062
【図２６】
2009502305.tif 000063
【図２７】
2009502305.tif 000064
【図２８Ａ】
2009502305.tif 000065
【図２８Ｂ】
2009502305.tif 000066
【図２９】
2009502305.tif 000067
【図３０Ａ】
2009502305.tif 000068
【図３０Ｂ】
2009502305.tif 000069
【図３１】
2009502305.tif 000070
【図３２Ａ】
2009502305.tif 000071
【図３２Ｂ】
2009502305.tif 000072
【図３３】
2009502305.tif 000073
【図３４Ａ】
2009502305.tif 000074
【図３４Ｂ】
2009502305.tif 000075
【図３５】
2009502305.tif 000076
【図３６】
2009502305.tif 000077
【図３７】
2009502305.tif 000078
【図３８】
2009502305.tif 000079
【図３９】
2009502305.tif 000080
【図４０】
2009502305.tif 000081
【図４１】
2009502305.tif 000082
【図４２】
2009502305.tif 000083
【図４３】
2009502305.tif 000084
【図４４】
2009502305.tif 000085
【図４５】
2009502305.tif 000086
【図４６】
2009502305.tif 000087
【図４７】
2009502305.tif 000088
【図４８Ａ】
2009502305.tif 000089
【図４８Ｂ】
2009502305.tif 000090
【図４８Ｃ】
2009502305.tif 000091
【図４８Ｄ】
2009502305.tif 000092
【手続補正書】
【提出日】平成20年4月1日(2008.4.1)
【手続補正１】
【補正対象書類名】特許請求の範囲
【補正対象項目名】全文
【補正方法】変更
【補正の内容】
【特許請求の範囲】
【請求項１】
眼内インプラント注射アセンブリであって、
眼内インプラント位置決めサブアセンブリと、
触角を含みかつ光学軸を有する眼内インプラントであって、前記眼内インプラント位置決めサブアセンブリを基準として少なくとも１つの第１の予め決められた方位角位置の１つにおいて、前記眼内インプラント位置決めサブアセンブリ内に取り付けられている眼内インプラントと、
ハウジングを基準として少なくとも１つの第２の予め決められた方位角位置の１つにおいて、前記眼内インプラント位置決めサブアセンブリを保持するハウジングと、
傾斜した前方端縁を有する注射器であって、前記傾斜した前方端縁が前記ハウジングを基準として少なくとも１つの第３の予め決められた方位角位置の１つに位置しているように前記ハウジング内に保持されている注射器と、
を含む眼内インプラント注射アセンブリ。
【請求項２】
眼内インプラント注射アセンブリであって、
眼内インプラント位置決めサブアセンブリと、
触角を含みかつ光学軸を有する眼内インプラントであって、前記眼内インプラント位置決めサブアセンブリを基準として少なくとも１つの第１の予め決められた方位角位置の１つにおいて、前記眼内インプラント位置決めサブアセンブリ内に取り付けられている眼内インプラントと、
ハウジングを基準として少なくとも１つの第２の予め決められた方位角位置の１つにおいて、前記眼内インプラント位置決めサブアセンブリを保持するハウジングと、
ユーザ感知可能な方位角位置インジケータを有する注射器であって、前記ハウジングを基準として少なくとも１つの第３の予め決められた方位角位置の１つにおいて前記ハウジング内に保持されている注射器と、
を含む眼内インプラント注射アセンブリ。
【請求項３】
前記注射器は傾斜した前方端縁を有し、および、前記注射器は、前記ハウジングを基準として少なくとも１つの第４の予め決められた方位角位置の１つに前記傾斜した前方端縁が位置しているように前記ハウジング内に保持されている請求項２７に記載の眼内インプラント注射アセンブリ。
【請求項４】
前記眼内インプラント位置決めサブアセンブリは、
方位角位置合わせ穴を含む後方位置決め要素と、
前記方位角位置合わせ穴と係合する働きをし、かつ、前記後方位置決め要素と前方位置決め要素との間の相対的な回転を防止する働きをする、方位角位置合わせピンを含む前方位置決め要素と、
を含む請求項１から３のいずれかに記載の眼内インプラント注射アセンブリ。
【請求項５】
前記触角の傾斜部分が、前記後方位置決め要素の前方の内向き先細部分と、前記前方位置決め要素の後方の外向き先細部分との間に位置している請求項４に記載の眼内インプラント注射アセンブリ。
【請求項６】
前記後方位置決め要素の前記先細部分と前記前方位置決め要素の前記先細部分は、前記眼内インプラントが前記注射器内に装填される時に前記触角を案内して前記触角の機構的な完全性を維持するように形状構成されている請求項５に記載の眼内インプラント注射アセンブリ。
【請求項７】
前記眼内インプラント位置決めサブアセンブリは、前記眼内インプラント位置決めサブアセンブリを基準として前記少なくとも１つの第１の予め決められた方位角位置の１つにおいて前記眼内インプラントを保持する働きをする複数の眼内インプラント位置決め突起を含む請求項１から６のいずれかに記載の眼内インプラント注射アセンブリ。
【請求項８】
前記眼内インプラント位置決めサブアセンブリは、前記前方傾斜端縁の角位置と概ね同一である角位置を有し、かつ、前記前方傾斜端縁と係合して前記眼内インプラント位置決めサブアセンブリを基準として前記注射器の少なくとも１つの予め決められた方位角位置を実現するようになっている、傾斜した肩部を含む請求項１と請求項３から７とのいずれかに記載の眼内インプラント注射アセンブリ。
【請求項９】
前記注射器の前記前方傾斜端縁は、眼球内に前記眼内インプラントが注射される時に前記触角が逐次的に展開することを可能にするように形状構成されている請求項１と請求項３から８とのいずれかに記載の眼内インプラント注射アセンブリ。
【請求項１０】
さらに、前記ハウジングに係合するようになっている眼内インプラント移動装置も備え、および、前記眼内インプラント移動装置は、前記眼内インプラントを前記眼内インプラント位置決めサブアセンブリから前記注射器の中に押し込む働きをするシャフト部分を含む請求項１から９のいずれかに記載の眼内インプラント注射アセンブリ。
【請求項１１】
前記眼内インプラントはカプセル状の本体部分を含み、および、前記触角は、前記眼内インプラントが前記眼球内に移植される時に角膜から離れるように前記カプセル状本体部分を押し動かすようになっている請求項１から１０のいずれかに記載の眼内インプラント注射アセンブリ。
【請求項１２】
眼内インプラント注射アセンブリであって、
触角を含む眼内インプラントと、
傾斜した前方端縁を有する注射器と、
前記注射器の前記傾斜した前方端縁を基準として少なくとも１つの予め決められた方位角位置の１つに前記眼内インプラントを保持する働きをする眼内インプラント方位角位置決め装置と、
を含む眼内インプラント注射アセンブリ。
【請求項１３】
眼内インプラント注射アセンブリであって、
触角を含む眼内インプラントと、
ユーザ感知可能な方位角位置インジケータを有する注射器と、
前記注射器を基準として少なくとも１つの予め決められた方位角位置の１つにおいて前記眼内インプラントを保持する働きをする眼内インプラント方位角位置決め装置と、
を含む眼内インプラント注射アセンブリ。
【請求項１４】
前記注射器は傾斜した前方端縁を有し、かつ、前記眼内インプラント方位角位置決め装置は、前記注射器の前記傾斜前方端縁を基準として少なくとも１つの予め決められた方位角位置の１つにおいて前記眼内インプラントを保持する働きをする請求項１３に記載の眼内インプラント注射アセンブリ。
【請求項１５】
前記眼内インプラント方位角位置決め装置は、
方位角位置合わせ穴を含む後方位置決め要素と、
前記方位角位置合わせ穴と係合する働きをし、かつ、前記後方位置決め要素とこの前方位置決め要素との間の相対的な回転を防止する働きをする、方位角位置合わせピンを含む前方位置決め要素と、
を備える請求項１２から１４のいずれかに記載の眼内インプラント注射アセンブリ。
【請求項１６】
前記触角の傾斜部分が、前記後方位置決め要素の前方の内向き先細部分と、前記前方位置決め要素の後方の外向き先細部分との間に位置している請求項１５に記載の眼内インプラント注射アセンブリ。
【請求項１７】
前記後方位置決め要素の前記先細部分と前記前方位置決め要素の前記先細部分は、前記眼内インプラントが前記注射器内に装填される時に前記触角を案内して前記触角の機構的な完全性を維持するように形状構成されている請求項１６に記載の眼内インプラント注射アセンブリ。
【請求項１８】
前記眼内インプラント方位角位置決め装置は、前記注射器を基準として前記少なくとも１つの予め決められた方位角位置の１つに前記眼内インプラントを保持する働きをする複数の眼内インプラント位置決め突起を含む請求項１２から１７のいずれか一項に記載の眼内インプラント注射アセンブリ。
【請求項１９】
前記眼内インプラント方位角位置決め装置は、前記傾斜前方端縁の角位置と概ね同一である角位置を有し、かつ、前記傾斜前方末端と係合して前記眼内インプラントと前記注射器との間の前記少なくとも１つの予め決められた方位角位置の１つを実現するようになっている、傾斜した肩部を含む請求項１２と請求項１４から１８とのいずれか一項に記載の眼内インプラント注射アセンブリ。
【請求項２０】
さらに、前記眼内インプラントを前記眼内インプラント方位角位置決め装置から前記注射器の中に押し込む働きをするシャフト部分を含む眼内インプラント移動装置も備える請求項１２から１９のいずれか一項に記載の眼内インプラント注射アセンブリ。
【請求項２１】
前記注射器の前記傾斜前方端縁は、前記眼内インプラントが眼球内に注射される時に前記触角が逐次的に展開することを可能にするように形状構成されている請求項１２と請求項１４から２０とのいずれか一項に記載の眼内インプラント注射アセンブリ。
【請求項２２】
前記眼内インプラントはカプセル状の本体部分を含み、および、前記触角は、前記眼内インプラントが前記眼球内に移植される時に角膜から離れるように前記カプセル状本体部分を押し動かすようになっている請求項１２から２１のいずれか一項に記載の眼内インプラント注射アセンブリ。
【請求項２３】
眼球内に眼内インプラントを注射する方法であって、
触角を含みかつ光学軸を有する眼内インプラントを提供することと、
前記光学軸が注射器軸線に対して平行であるように、前記注射器軸線を有する注射器の内側に前記眼内インプラントを配置することと、
前記光学軸と同軸である注射軸線に沿って前記眼内インプラントを移動させることによって前記眼内インプラントを前記眼球内に注射することと、
を含む方法。
【請求項２４】
前記配置することは、前記光学軸が前記注射器軸線と同軸であるように前記注射器の内側に前記眼内インプラントを配置することを含む請求項２３に記載の方法。
【請求項２５】
眼球内に眼内インプラントを注射するシステムであって、
触角を含みかつ光学軸を有する眼内インプラントと、
前記光学軸が注射器軸線に対して平行であるように中に配置されている前記眼内インプラントを有するようになっている、注射器軸線を有する注射器と、
前記光学軸と同軸である注射軸線に沿って前記眼内インプラントを移動させることによって前記眼内インプラントを前記眼球内に注射する働きをする眼内インプラント移動装置と、
を含むシステム。
【請求項２６】
前記注射器軸線は、前記注射器軸線が前記光学軸と同軸であるように前記注射器内に配置されている前記眼内インプラントを有するようになっている請求項２５に記載のシステム。
【国際調査報告】
2009502305.tif 000093
2009502305.tif 000094
2009502305.tif 000095